(57)【特許請求の範囲】
【請求項１】
ケースと、
上記ケース内に固定されたセンサ素子と、
を備え、
上記ケースの一側面と反対側の他側面の両側面に、上記ケースの取り付け先となる取付部と係合して上記ケースを当該取付部に係止するための弾性変形可能な一対の係止部が上記ケースと一体に形成され、
上記係止部は、
上記ケースの後面から前面に向かう方向に延びる、前面側の先端に係止突起を有する一対のアームであり、
さらに、上記ケースの両側面には、上記ケースの前面から所定の距離だけ離れた位置に上記ケースの側面から突するように形成され、上記アームの係止突起との間で上記取付部を挟み込む為の当接面が設けられている
センサ。
【請求項２】
上記ケースは、
上記ケースより薄い板状で上記ケースと嵌合するケース用の嵌合孔が形成されている取付部に取り付けられる場合に、上記ケース用の嵌合孔に上記ケースが嵌合すると共に、上記アームの係止突起と上記当接面とによって上記取付部を厚さ方向に挟み込むことで、上記取付部に係止される
請求項１に記載のセンサ。
【請求項３】
上記ケースの両側面には、上記ケースの側面を切り欠くようにして形成された当接面と、上記ケースの側面から突するように形成された当接面との組み合わせでなる複数の当接面が設けられている
請求項１又は２に記載のセンサ。
【請求項４】
上記ケースの両側面には、上記アームを挟んで一方の側及び他方の側の両方に、上記ケースの側面を切り欠くようにして形成された当接面と、上記ケースの側面から突するように形成された当接面との組み合わせでなる複数の当接面が設けられている
請求項３に記載のセンサ。
【請求項５】
上記ケースの両側面には、上記アームを挟んで一方の側に、上記ケースの側面を切り欠くようにして形成された複数の当接面が設けられ、さらに上記アームを挟んで他方の側に、上記ケースの側面を切り欠くようにして形成された当接面と、上記ケースの側面から突するように形成された当接面との組み合わせでなる複数の当接面が設けられている
請求項３に記載のセンサ。
【請求項６】
上記複数の当接面は、厚さの異なる取付部を挟み込めるように、上記ケースの前面からの距離が異なっている
請求項３〜５のいずれかに記載のセンサ。
【請求項７】
上記センサ素子は、発光素子又は受光素子であり、
上記ケースの前面には、上記センサ素子への光路となる光路部が設けられている
請求項１〜６のいずれかに記載のセンサ。
【請求項８】
上記ケースの両側面には、上記アームを挟んで一方の側に、上記取付部に取り付けられたときに、当該取付部の一部と嵌合することにより上記取付部に対する上記ケースの位置決めをする位置決め部がさらに設けられている
請求項１〜７のいずれかに記載のセンサ。
【請求項９】
上記アームの係止突起は、先端が尖ったくさび形状でなり、
上記アームは、
上記取付部に取り付けられたときに上記取付部と当接する部分となる、上記アームの外側面及び上記係止突起の後面がテーパ面となっている
請求項１〜８のいずれかに記載のセンサ。
【請求項１０】
ケースと、
上記ケース内に固定されたセンサ素子と、
を備え、
上記ケースの一側面と反対側の他側面の両側面に、上記ケースの取り付け先となる取付部と係合して上記ケースを当該取付部に係止するための弾性変形可能な一対の係止部が上記ケースと一体に形成され、
上記係止部は、
上記ケースの後面から前面に向かう方向に延びる、前面側の先端に係止突起を有する一対のアームであり、
さらに、上記ケースの両側面には、上記ケースの前面から所定の距離だけ離れた位置に、上記アームの係止突起との間で上記取付部を挟み込む為の当接面が設けられ、
さらに、上記ケースには、上記アームが形成されている両側面以外の一側面の前面側にも係止突起が形成され、
上記ケースは、
上記アームの係止突起及び上記両側面以外の一側面に形成されている係止突起と上記当接面とによって上記取付部を挟み込むことで、上記取付部に係止される
センサ。
【請求項１１】
ケースと当該ケース内に固定されたセンサ素子とを有し、当該ケースの一側面と反対側の他側面の両側面に、上記ケースの取り付け先となる取付部と係合して上記ケースを当該取付部に係止するための弾性変形可能な一対の係止部が上記ケースと一体に形成されている物体監視用の監視センサと、
上記ケースの取り付け先となる取付部と、
上記監視センサを制御する制御部と
を備え、
上記係止部は、
上記ケースの後面から前面に向かう方向に延びる、前面側の先端に係止突起を有する一対のアームであり、
さらに、上記ケースの両側面には、上記ケースの前面から所定の距離だけ離れた位置に上記ケースの側面から突するように形成され、上記アームの係止突起との間で上記取付部を挟み込む為の当接面が設けられている
監視装置。
【発明の詳細な説明】
【技術分野】
【０００１】
本発明は、センサ及び監視装置に関し、例えば、現金自動預払機（ＡＴＭ）に取り付けられている紙幣監視用のセンサに適用して好適なものである。
【背景技術】
【０００２】
従来、現金自動預払機は、例えば、利用者との間で紙幣の授受を行う接客部と、投入された紙幣の金種及び真偽を鑑別する鑑別部と、投入された紙幣を一時的に収納する一時保留部と、金種ごとに紙幣を保管する紙幣収納庫と、これらをつなぐ搬送路などにより構成されている。
【０００３】
実際、この現金自動預払機では、入金時に利用者が紙幣入出金口に紙幣を投入すると、投入された紙幣を鑑別部で鑑別し、正常紙幣と鑑別した紙幣を一時保留部に収納する一方、取引すべきでないと鑑別した紙幣を紙幣入出金口へ戻して利用者に返却する。ここで、利用者により入金金額が確定されると、一時保留部に収納している紙幣の金種を鑑別部で再鑑別し、鑑別した金種に応じて紙幣を各紙幣収納庫へ保管するようになっている。
【０００４】
またこの現金自動預払機では、出金時に利用者が出金金額を指定すると、各紙幣収納庫から出金金額に応じた紙幣を搬送路に送り出して鑑別部で鑑別した後、入出金口に集積するようになっている。
【０００５】
さらに現金自動預払機には、紙幣の位置、紙幣の搬送速度、紙幣収納庫内の紙幣の有無などを監視するための監視センサが所定の位置に設けられている。この監視センサは、１組の発光センサと受光センサとで構成され、これら発光センサと受光センサは、例えば、所定の間隔を空けて対向配置される。
【０００６】
ここで、このような監視センサの取り付け機構について、紙幣の搬送をガイドする搬送ガイドに監視センサを取り付ける場合を例に、図３３乃至図３５を用いて説明する。
【０００７】
尚、監視センサを構成する発光センサと受光センサは、センサの種類が異なる点をのぞけば、ほぼ同じ構成となっている。ゆえに、ここでは、主に、発光センサの取り付けについて説明することとする。
【０００８】
図３３に示すように、発光センサ１００は、縦長直方体形状のセンサケース１０１を有し、このセンサケース１０１内に基板１０２が固定されている。この基板１０２には、センサ素子（すなわち発光素子）１０３と接続用のコネクタ１０４とが実装され、コネクタ１０４の端子部分のみがセンサケース１０１の下面１０１ａから露出するようになっている。
【０００９】
さらにセンサケース１０１の前面１０１ｂには、センサケース１０１内のセンサ素子１０３と光軸を一致させるようにして、センサ素子１０３への光路となる円柱状の光路部１０５が突設されている。
【００１０】
さらにセンサケース１０１の左側面１０１ｃ及び右側面１０１ｄには、それぞれセンサケース１０１の上面１０１ｅ近傍と下面１０１ａ近傍の２箇所に係止突起１０６が突設されている。
【００１１】
係止突起１０６は、前面１０６ａがテーパ面（傾斜面）となっている一方で、後面１０６ｂがセンサケース１０１の両側面１０１ｃ、１０１ｄに対する直交面となっており、全体として、前方が尖ったくさび形状をなしている。
【００１２】
一方、図３４に示すように、発光センサ１００の取り付け先となる搬送ガイド１１０は、弾性を有する合成樹脂で形成され、ガイド面となる前面１１０ａと反対側の後面１１０ｂとを貫通する嵌合孔１１１が所定の位置に形成されている。この嵌合孔１１１は、光路部１０５の外径とほぼ同径の円柱状となっていて、センサ取り付け時に、発光センサ１００の光路部１０５と嵌合する。尚、ここでは貫通している穴を、特に孔と呼ぶことにする。
【００１３】
また搬送ガイド１１０の後面１１０ｂには、嵌合孔１１１の左右方向に、この嵌合孔１１１を挟んで平行な一対の保持板１１２が突設されている。これら左右の保持板１１２は搬送ガイド１１０と一体に形成されている。
【００１４】
これら左右の保持板１１２は、弾性を有していることにより、それぞれの先端を近づける方向及び遠ざける方向に弾性変形可能となっている。
【００１５】
さらに左右の保持板１１２のそれぞれの先端には、その縁に沿って内側に突する凸条部１１２ａが形成されている。
【００１６】
左右の保持板１１２は、それぞれの先端に設けられた左右の凸条部１１２ａの間隔が、光センサ１００のセンサケース１０１の横幅とほぼ等しく、センサ取り付け時に、左右の凸条部１１２ａが発光センサ１００のセンサケース１０１を左右両側から挟み込んで、係止突起１０６の後面１０６ｂに当接するようになっている。
【００１７】
実際、この搬送ガイド１１０に発光センサ１００を取り付ける場合、搬送ガイド１１０の後面１１０ｂ側から、発光センサ１００の光路部１０５を搬送ガイド１１０の嵌合孔１１１に対向させた状態で、発光センサ１００を左右の保持板１１２の間に押し込んでいく。
【００１８】
このときまず発光センサ１００のセンサケース１０１の左側面１０１ｃ及び右側面１０１ｄのそれぞれに設けられた係止突起１０６の前面１０６ａが、左右の保持板１１２のそれぞれに設けられた凸条部１１２ａに当接する。
【００１９】
この状態からさらに発光センサ１００を押し込んでいくと、係止突起１０６の前面１０６ａによって、左右の保持板１１２は、それぞれの先端の凸条部１１２ａを遠ざけるように押し広げられていく。
【００２０】
さらに押し込んでいくと、左右の凸条部１１２ａが係止突起１０６を乗り越える。このとき、左右の保持板１１２には、復元力として、それぞれの先端の凸条部１１２ａを近づけようとする力が作用する。これにより、図３５に示すように、左右の凸条部１１２ａが発光センサ１００のセンサケース１０１を左右両側から挟み込み、係止突起１０６の後面１０６ｂに当接して係合することで、センサケース１０１を保持する。
【００２１】
またこのとき、搬送ガイド１１０の嵌合孔１１１に発光センサ１００の光路部１０５が嵌合されて、位置が固定される。かくして、搬送ガイド１１０に発光センサ１００が固定保持される。
【００２２】
尚、ここでは説明を省略したが、実際には、搬送路を挟んで反対側の搬送ガイドに、発光センサ１００の取り付け機構と同様の、受光センサの取り付け機構が設けられている。
【００２３】
従来、このようにして、搬送ガイド１１０に監視センサを取り付けるようになっている（例えば特許文献１参照）。
【先行技術文献】
【特許文献】
【００２４】
【特許文献１】特開平８−７５８６７号公報
【発明の概要】
【発明が解決しようとする課題】
【００２５】
ところで、上述した従来の取り付け機構の場合、取り付け時に、弾性変形可能な保持板１１２ａに誤って変形可能な範囲を越えるほどの力を加えてしまうと、復元力がなくなったり、破損したりしてしまう。
【００２６】
この場合、保持板１１２ａを交換しなくてはならないが、上述したように、保持板１１２ａは搬送ガイド１１０と一体に形成されていることから、保持板１１２ａを交換するには、搬送ガイド１１０ごと交換しなくてはならず、コストがかかる。
【００２７】
これに対して、保持板１１２ａを搬送ガイド１１０に取付可能な別部品とすることで、保持板１１２ａのみを交換できるようにすることも考えられるが、この場合、部品点数が増えることになり、結局のところコストがかかることに違いはない。
【００２８】
本発明は以上の点を考慮したもので、従来と比して一段とコストを低減し得るセンサ及び監視装置を提案しようとするものである。
【課題を解決するための手段】
【００２９】
かかる課題を解決するため本発明のセンサにおいては、ケースと、ケース内に固定されたセンサ素子とを設け、ケースの一側面と反対側の他側面の両側面に、ケースの取り付け先となる取付部と係合してケースを当該取付部に係止するための弾性変形可能な一対の係止部がケースと一体に形成され、係止部は、ケースの後面から前面に向かう方向に延びる、前面側の先端に係止突起を有する一対のアームであり、さらに、ケースの両側面に、ケースの前面から所定の距離だけ離れた位置にケースの側面から突するように形成され、アームの係止突起との間で取付部を挟み込む為の当接面を設けるようにした。
【００３０】
また本発明のセンサにおいては、ケースの両側面に、ケースの前面から所定の距離だけ離れた位置に、アームの係止突起との間で取付部を挟み込む為の当接面を設け、さらに、ケースのアームが形成されている両側面以外の一側面の前面側にも係止突起を設け、ケースが、アームの係止突起及び両側面以外の一側面に形成されている係止突起と当接面とによって取付部を挟み込むことで、取付部に係止されるようにした。さらに本発明の監視装置においては、ケースと当該ケース内に固定されたセンサ素子とを有し、当該ケースの一側面と反対側の他側面の両側面に、ケースの取り付け先となる取付部と係合してケースを当該取付部に係止するための弾性変形可能な一対の係止部がケースと一体に形成されている物体監視用のセンサと、ケースの取り付け先となる取付部と、センサを制御する制御部とを設け、係止部は、ケースの後面から前面に向かう方向に延びる、前面側の先端に係止突起を有する一対のアームであり、さらに、ケースの両側面に、ケースの前面から所定の距離だけ離れた位置にケースの側面から突するように形成され、アームの係止突起との間で上記取付部を挟み込む為の当接面を設けるようにした。
【００３１】
これにより、センサを取り付けるときに、誤ってセンサの係止部に変形可能な範囲を超えるほどの力をくわえて係止部を破損させてしまったとしてもセンサを交換するだけで済み、また係止部が、センサのケースと一体に形成されていることにより、別途、取り付け用の部品などを必要とせず、部品点数を抑えることができる。
【発明の効果】
【００３２】
本発明によれば、センサを取り付けるときに、誤ってセンサの係止部に変形可能な範囲を超えるほどの力をくわえて係止部を破損させてしまったとしてもセンサを交換するだけで済み、また係止部が、センサのケースと一体に形成されていることにより、別途、取り付け用の部品などを必要とせず、部品点数を抑えることができる。かくして、従来と比して一段とコストを低減し得るセンサ及び監視装置を実現できる。
【図面の簡単な説明】
【００３３】
【図１】現金自動預払機の外観構成を示す略線図である。
【図２】現金自動預払機の内部構成を示す略線図である。
【図３】第１の実施の形態における発光センサの構成を示す略線図である。
【図４】第１の実施の形態におけるセンサ取り付け機構（１）を示す略線図である。
【図５】第１の実施の形態におけるセンサ取り付け機構（２）を示す略線図である。
【図６】第１の実施の形態におけるセンサ取り付け機構（３）の断面を示す略線図である。
【図７】第２の実施の形態における発光センサの構成を示す略線図である。
【図８】第２の実施の形態におけるセンサ取り付け機構（１）を示す略線図である。
【図９】第２の実施の形態におけるセンサ取り付け機構（２）を示す略線図である。
【図１０】第３の実施の形態における発光センサの構成（１）を示す略線図である。
【図１１】第３の実施の形態における発光センサの構成（２）の断面を示す略線図である。
【図１２】第３の実施の形態におけるセンサ取り付け機構の断面を示す略線図である。
【図１３】アームがたわむ様子を示す略線図である。
【図１４】第４の実施の形態における発光センサの構成を示す略線図である。
【図１５】第４の実施の形態におけるセンサ取り付け機構（１）を示す略線図である。
【図１６】第４の実施の形態におけるセンサ取り付け機構（２）を示す略線図である。
【図１７】センサケースが傾く様子を示す断面図である。
【図１８】第５の実施の形態における発光センサの構成を示す略線図である。
【図１９】第５の実施の形態におけるセンサ取り付け機構（１）を示す略線図である。
【図２０】第５の実施の形態におけるセンサ取り付け機構（２）を示す略線図である。
【図２１】第５の実施の形態におけるセンサ取り付け機構（３）を示す略線図である。
【図２２】第５の実施の形態におけるセンサ取り付け機構（４）を示す略線図である。
【図２３】第６の実施の形態における発光センサの構成を示す略線図である。
【図２４】第６の実施の形態におけるセンサ取り付け機構（１）を示す略線図である。
【図２５】第６の実施の形態におけるセンサ取り付け機構（２）を示す略線図である。
【図２６】第６の実施の形態におけるセンサ取り付け機構（３）を示す略線図である。
【図２７】第６の実施の形態におけるセンサ取り付け機構（４）を示す略線図である。
【図２８】他の実施の形態におけるセンサ取り付け機構（１）を示す略線図である。
【図２９】他の実施の形態におけるセンサ取り付け機構（２）を示す略線図である。
【図３０】他の実施の形態における発光センサの構成を示す略線図である。
【図３１】他の実施の形態におけるセンサ取り付け機構（３）を示す略線図である。
【図３２】他の実施の形態におけるセンサ取り付け機構（４）を示す略線図である。
【図３３】従来のセンサ（発光センサ）の構成を示す略線図である。
【図３４】従来のセンサ取り付け機構（１）を示す略線図である。
【図３５】従来のセンサ取り付け機構（２）の断面を示す略線図である。
【発明を実施するための形態】
【００３４】
以下、発明を実施するための形態について、図面を用いて詳細に説明する。
【００３５】
［１．第１の実施の形態］
［１−１．現金自動預払機の構成］
まず第１の実施の形態について説明する。図１に外観を示すように、現金自動預払機１は、箱状の筐体２を中心に構成され、顧客との間で現金に関する取引を行うようになされている。
【００３６】
筐体２は、その前面２Ａ側に顧客が対峙した状態で紙幣の投入やタッチパネルによる操作等をし易い箇所、すなわち前面２Ａの上部から上面に渡る箇所に、接客部３が設けられている。
【００３７】
接客部３は、顧客との間で現金や通帳等を直接やり取りすると共に、取引に関する情報の通知や操作指示の受付を行うようになっていて、この接客部３には、硬貨入出金口４、紙幣入出金口５、通帳挿入口６、カード挿入口７及び表示操作部８が設けられている。
【００３８】
硬貨入出金口４及び紙幣入出金口５は、顧客が入金する硬貨及び紙幣がそれぞれ投入されると共に、顧客へ出金する硬貨及び紙幣がそれぞれ排出される部分である。また硬貨入出金口４及び紙幣入出金口５は、それぞれに設けられたシャッタを駆動することにより開放又は閉塞するようになっている。
【００３９】
通帳挿入口６は、取引で使用される通帳が挿入され、取引が終了すると通帳が排出される部分である。この通帳挿入口６の奥部には、取引内容等を通帳に記録する通帳処理部（図示せず）が設けられている。
【００４０】
カード挿入口７は、キャッシュカード等の各種カードが挿入または排出される部分である。カード挿入口７の奥部には、各種カードに磁気記録された口座番号等の読み取りを行うカード処理部（図示せず）が設けられている。
【００４１】
表示操作部８は、取引に際して操作画面を表示するＬＣＤ（Liquid  Crystal  Display）と、取引の種類の選択、暗証番号や取引金額等を入力するタッチパネルとが一体化されている。
【００４２】
因みに筐体２は、前面２Ａ側やその反対側（すなわち背面側）等の一部の側面が開閉可能な扉により構成されている。すなわち筐体２は、顧客との間で現金に関する取引を行う取引動作時には、各扉を閉塞することにより、内部に保有している硬貨や紙幣等を保護する。一方、作業者等が保守作業を行う保守作業時には、必要に応じて各扉を開放することにより、内部の各部に対する作業を容易に行わせ得るようになっている。
【００４３】
図２は、図１の現金自動預払機１を矢印Ａ方向から見た側面図であり、当該現金自動預払機１の内部構成のうち主に紙幣の処理に関する部分を示している。同図に示したように、現金自動預払機１の内部には、上側に接客部３、紙幣の金種や真偽を判定する鑑別部１３及び入金された紙幣を一時的に保留する一時保留部１４等が設けられ、下側に紙幣を金種別に貯蔵する紙幣貯蔵部１５等が設けられている。
【００４４】
さらにこの現金自動預払機１の内部には、接客部３、鑑別部１３、一時保留部１４、紙幣貯蔵部１５等の各部を繋ぐ搬送路１２が設けられており、この搬送路１２を通って、紙幣が各部に搬送されるようになっている。
【００４５】
またこの現金自動預払機１では、制御部１０が全体を統括制御するようになっている。制御部１０は、例えば顧客が紙幣を入金する入金取引を行う場合、表示操作部８（図１）を介して所定の操作入力を受け付けた後、紙幣入出金口５のシャッタを開いて紙幣を投入させる。
【００４６】
続いて制御部１０は、投入された紙幣を搬送路１２を介して鑑別部１３へ搬送して鑑別させ、正常紙幣と鑑別された紙幣を一時保留部１４へ搬送して一時的に保留する一方、取引すべきでないと鑑別された紙幣を紙幣入出金口５へ搬送して顧客に返却する。
【００４７】
その後、制御部１０は、表示操作部８を介して顧客に入金金額を確定させ、一時保留部１４に保留している紙幣を再び鑑別部１３へ搬送して金種を再鑑別させた後、さらに紙幣貯蔵部１５へ搬送する。
【００４８】
紙幣貯蔵部１５は、鑑別部１３により損傷していないと鑑別された紙幣を、その金種に対応した各紙幣収納庫１６へ搬送し、厚さ方向に重ねて集積するように収納させる。また紙幣貯蔵部１５は、鑑別部１３により損傷していると鑑別された紙幣をリジェクト庫１７へ搬送し、厚さ方向に重ねて集積するように収納させる。
【００４９】
このように現金自動預払機１は、紙幣の入金処理又は出金処理において、鑑別部１３により当該紙幣の鑑別処理を実行し、その結果に応じて搬送先を決定してその搬送先へ当該紙幣を搬送するようになされている。
【００５０】
さらにこの現金自動預払機１には、図示していないが、紙幣の位置、紙幣の搬送速度、収納収納庫１６内の紙幣の有無などを監視するための監視センサが各所に設けられている。この監視センサは、１組の発光センサと受光センサとでなる光電センサであり、これら発光センサと受光センサは、例えば、所定の間隔を空けて対向配置される。
【００５１】
またこの監視センサは、制御部１０と接続され、制御部１０によって制御される。制御部１０は、監視センサの監視結果をもとに、紙幣の位置、紙幣の搬送速度、収納収納庫１６内の紙幣の有無などを把握するようになっている。
【００５２】
［１−２．監視センサの取り付け機構］
ここで、このような監視センサの取り付け機構について、搬送路１２を通る紙幣をガイドする搬送ガイドに、搬送路１２を通る紙幣を監視する監視センサを取り付ける場合を例に、図３及び図４を用いて説明する。
【００５３】
尚、監視センサを構成する発光センサと受光センサは、センサの種類が異なる点をのぞけば、ほぼ同じ構成となっている。ゆえに、ここでは、主に、発光センサの取り付けについて説明することとする。
【００５４】
図３に示すように、発光センサ２０は、縦長の略直方体形状でなるセンサケース２１を有している。このセンサケース２１は、合成樹脂で形成され、その内部に基板２２が固定されている。さらにこの基板２２には、センサ素子（すなわち発光素子）２３と接続用のコネクタ２４とが実装され、コネクタ２４の端子部分がセンサケース２１の下面２１ａから露出するようになっている。
【００５５】
さらにセンサケース２１の前面２１ｂ上方には、センサケース２１内のセンサ素子２３と光軸を一致させるようにして円柱状の光路部２５が突設されている。
【００５６】
さらにセンサケース２１の左側面２１ｃ及び右側面２１ｄには、それぞれ中央やや下面２１ａ寄りの一部分に凹部２６が形成されていて、この凹部２６に埋まるようにしてアーム２７が形成されている。
【００５７】
左右のアーム２７は、それぞれ凹部２６の後端側から前端側へと延びる断面略Ｌ字型の板状でなり、アーム２７の先端側と凹部２６の底との間に隙間が空くようにしてセンサケース２１と一体に形成されている。
【００５８】
さらにこれら左右のアーム２７は、弾性を有していることにより、それぞれ先端を凹部２６の底に近づける方向及び遠ざける方向（すなわち左右のアーム２７の先端が互いに近づく方向及び遠ざかる方向）に弾性変形可能となっている。
【００５９】
さらにこれら左右のアーム２７のそれぞれの先端には、外側に突する係止突起２８が形成されている。
【００６０】
この係止突起２８は、前面２８ａがテーパ面（傾斜面）となっている一方で、後面２８ｂがアーム２７の側面２７ａに対する直交面となっており、全体として、前方が尖ったくさび形状をなしている。
【００６１】
尚、左右のアーム２７は、外力が加えられていない状態のとき、センサケース２１の左側面２１ｃ及び右側面２１ｄから係止突起２８のみが突するようになっている。
【００６２】
一方、図４に示すように、搬送ガイド３０は、合成樹脂で形成され、搬送路１２側のガイド面となる前面３０ａと反対側の後面３０ｂとを貫通する嵌合孔３１が所定の位置に形成されている。この嵌合孔３１は、発光センサ２０の光路部２５の外径とほぼ同径の円柱状となっていて、センサ取り付け時に、発光センサ２０の光路部２５と嵌合するようになっている。
【００６３】
また搬送ガイド３０の後面３０ｂには、嵌合孔３１の下方に、この嵌合孔３１の中心から真下に延ばした仮想直線Ｌを挟んで平行な一対の保持板３２が突設されている。これら左右の保持板３２は搬送ガイド３０と一体に形成されている。
【００６４】
また左右の保持板３２は、その間隔が、光センサ２０のセンサケース２１の横幅とほぼ等しくなっていて、センサ取り付け時に、センサケース２１のアーム２７部分を左右両側から挟み込むようになっている。
【００６５】
またこれら左右の保持板３２は、それぞれの内側の面（これを内側面とも呼ぶ）３２ａの根元部分に嵌合穴３３が形成されている。
【００６６】
これら左右の嵌合穴３３は、略直方体形状で、発光センサ２０のアーム２７に形成されている係止突起２８に合った大きさでなり、センサ取り付け時に、左右の係止突起２８と嵌合するようになっている。
【００６７】
尚、ここでは説明を省略したが、実際、搬送路１２を挟んで反対側の搬送ガイドに、発光センサと対向するように受光センサを取り付けるようになっていて、その位置にも、発光センサ２０の取り付け機構と同様の構成でなる、受光センサの取り付け機構が設けられている。
【００６８】
［１−３．動作及び効果］
以上の構成において、搬送ガイド３０に発光センサ２０を取り付ける場合、図４に示すように、搬送ガイド３０の後面３０ｂ側から、搬送ガイド３０の嵌合孔３１に対して発光センサ２０の光路部２５を対向させた状態で、発光センサ２０のセンサケース２１を左右の保持板３２の間に押し込んでいく。
【００６９】
このときまずセンサケース２１のアーム２７に形成された左右の係止突起２８の前面２８ａが、左右の保持板３２の先端面３２ｂの縁に当接する。
【００７０】
この状態からさらにセンサケース２１を押し込んでいくと、左右のアーム２７の先端に形成されている係止突起２８が左右の保持板３２に押さえ付けられることで、左右のアーム２７の先端がセンサケース２１の左右の凹部２６の底に近づくように変形しながら、センサケース２１が、搬送ガイド３０の左右の保持板３２の間に挟み込まれていく。
【００７１】
さらに押し込んでいき、図５及び図６（断面図）に示すように、センサケース２１の左右の係止突起２８が、搬送ガイド３０の左右の保持板３２に形成された左右の嵌合穴３３に到達して、係止突起２８全体が嵌合穴３３に嵌合すると、左右のアーム２７には、復元力として、それぞれの先端がセンサケース２１の凹部２６の底から離れようとする力が作用する。
【００７２】
この結果、左右のアーム２７はそれぞれ元の形状に戻り、それぞれの側面２７ａが、左右の保持板３２の内側面３２ａに当接する。
【００７３】
またこのとき、左右のアーム２７のそれぞれの係止突起２８の後面２８ｂが、左右の保持板３２の嵌合穴３３の後端側の壁面（これを係止面とも呼ぶ）３３ａに当接する。これにより、センサケース２１が保持板３２の間に係止されて保持される。
【００７４】
さらにこのとき、搬送ガイド３０の嵌合孔３１に発光センサ２０の光路部２５が嵌合されて位置が固定される。かくして、搬送ガイド３０に発光センサ２０が固定保持される。
【００７５】
このようにして、搬送ガイド３０に発光センサ２０が取り付けられる。
【００７６】
このように、第１の実施の形態の取り付け機構では、発光センサ２０のセンサケース２１の両側面２１ｃ、２１ｄに、弾性変形可能で、センサケース２１と一体に形成された１対のアーム２７を設け、さらにこのアーム２７の先端に係止突起２８を形成するようにした。
【００７７】
そして、搬送ガイド３０に設けられた２枚の保持板３２の間に、センサケース２１のアーム２７部分を挟み込んで、２枚の保持板３２の内側面３２ａに形成されている嵌合穴３３に、左右のアーム２７の係止突起２８を嵌合することで、２枚の保持板３２の間に、センサケース２１を係止して保持するようにした。
【００７８】
こうすることで、発光センサ２０を搬送ガイド３０に取り付けるときに、誤って発光センサ２０のアーム２７に変形可能な範囲を超えるほどの力をくわえてアーム２７を破損させてしまったとしても発光センサ２０を交換するだけでよく、従来のように大型で高価な搬送ガイド３０自体を交換する場合と比して、コストを低減することができる。
【００７９】
またアーム２７は、発光センサ２０のセンサケース２１と一体に形成されていることにより、別途、取り付け用の部品などを必要とせず、部品点数を抑えることができる。
【００８０】
またセンサケース２１を、左側面２１ｃ及び右側面２１ｄから係止突起２８のみが突する形状としたことにより、従来のセンサケースと同程度の小型サイズを実現できる。
【００８１】
さらに搬送ガイド３０の保持板３２は、アーム２７の係止突起２８に合った大きさの嵌合穴３３を形成できる分だけ、搬送ガイド３０の後面３０ｂから突出していればよく、従来のように保持板が発光センサのセンサケースの厚さとほぼ同じ分だけ搬送ガイドの後面から突出している場合と比して、突出量を小さくできる。くわえて搬送ガイド３０の保持板３２は、嵌合穴３３が形成されるだけの簡易な形状となっている。
【００８２】
実際、このような搬送ガイド３０の成型金型を製作する場合、嵌合孔３３の係止面３３ａがアンダーカットとなるが、従来の搬送ガイドと比して、上述したように、突出量が小さく形状が簡易なことにより、スライド機構を使用するなど金型構造が複雑になったり、搬送ガイド３０の形状によって保持板３２が形成できなくなったりすることを極力防ぐことができる。
【００８３】
以上の構成によれば、発光センサ２０を搬送ガイド３０に取り付けるときに、誤って発光センサ２０のアーム２７に変形可能な範囲を超えるほどの力をくわえてアーム２７を破損させてしまったとしても発光センサ２０を交換するだけで済み、またアーム２７が、発光センサ２０のセンサケース２１と一体に形成されていることにより、別途、取り付け用の部品などを必要とせず、部品点数を抑えることができる。かくして、従来と比して一段とコストを低減することができる。
【００８４】
［２．第２の実施の形態］
次に第２の実施の形態について説明する。この第２の実施の形態は、監視センサの取り付け機構の構成が第１の実施の形態とは異なる実施の形態である。
【００８５】
尚、監視センサの取り付け機構以外の部分である、現金自動預払機１の構成などについては、第１の実施の形態と同様であるので、第１の実施の形態を参照とする。ゆえに、ここでは、主に監視センサの取り付け機構について説明する。
【００８６】
［２−１．監視センサの取り付け機構］
この第２の実施の形態では、監視センサを、搬送ガイド３０ではなく、保持板３２を形成できない金属板のブラケットに取り付ける場合を例に、図７及び図８を用いて説明する。尚、図７及び図８では、図３と同一の箇所に、同一符号を付している。
【００８７】
尚、この場合も、監視センサを構成する発光センサと受光センサは、センサの種類が異なる点をのぞけば、ほぼ同じ構成となっている。ゆえに、ここでは、主に、発光センサの取り付けについて説明することとする。
【００８８】
図７に示すように、発光センサ４０は、縦長の略直方体形状でなるセンサケース４１を有している。このセンサケース４１は、合成樹脂で形成され、その内部に基板２２が固定されている。さらにこの基板２２には、センサ素子（すなわち発光素子）２３と接続用のコネクタ２４とが実装され、コネクタ２４の端子部分がセンサケース４１の下面４１ａから露出するようになっている。
【００８９】
さらにセンサケース４１の前面４１ｂ上方には、センサケース４１内のセンサ素子２３と光軸を一致させるようにして円柱状の光路部２５が突設されている。
【００９０】
さらにセンサケース４１の左側面４１ｃ及び右側面４１ｄには、それぞれ中央やや下面４１ａ寄りの一部分に凹部２６が形成されていて、この凹部２６に埋まるようにして第１の実施の形態と同様のアーム２７が形成されている。
【００９１】
さらにこれら左右のアーム２７のそれぞれの先端には、第１の実施の形態と同様の係止突起２８が形成されている。
【００９２】
くわえて、センサケース４１の左側面４１ｃ及び右側面４１ｄには、アーム２７とセンサケース４１の上面４１ｅとの間に、センサケース４１の前面４１ｂと平行で且つ前面４１ｂとの距離が異なる３つの当接面４２（４２ａ、４２ｂ、４２ｃ）が、左側面４１ｃ及び右側面４１ｄの一部を切り欠くようにして、上面４１ｅ側から前面４１ｂとの距離が短い順に階段状に形成されている。
【００９３】
尚、これら３つの当接面４２（４２ａ、４２ｂ、４２ｃ）は、それぞれ係止突起２８の後面２８ｂより後方に位置している。またこれら３つの当接面４２（４２ａ、４２ｂ、４２ｃ）は、詳しくは後述するが、センサ取り付け時に、ブラケット側の凸部が当接する面であり、厚さの異なる３種類のブラケットを、係止突起２８の後面２８ｂとの間で挟み込んで保持できるように、それぞれ係止突起２８の後面２８ｂとの距離が異なっている。
【００９４】
またこれら３つの当接面４２（４２ａ、４２ｂ、４２ｃ）は、センサケース４１の前面４１ｂの横幅よりも十分短い横幅となっていて、実際、これら３つの当接面４２（４２ａ、４２ｂ、４２ｃ）が形成されていても、センサケース４１の大きさは、第１の実施の形態のセンサケース２１とほぼ変わらない。
【００９５】
さらにセンサケース４１の上面４１ｅには、その前端の中央部分に、上方に突する係止突起４３が形成されている。この係止突起４３は、アーム２７の係止突起２８とほぼ同じ形状同じ大きさでなり、その前面４３ａがテーパ面（傾斜面）となっている一方で、後面４３ｂがセンサケース４１の上面４１ｅに対する直交面となっており、全体として、前方が尖ったくさび形状をなしている。
【００９６】
一方、図８に示すように、ブラケット５０は、所定の厚さの金属板でなり、前面５０ａと反対側の後面５０ｂとを貫通する嵌合孔５１が形成されている。この嵌合孔５１は、発光センサ４０のセンサケース４１を前方から見た輪郭とほぼ同じ形状同じ大きさでなり、センサ取り付け時に、発光センサ４０のセンサケース４１と嵌合するようになっている。
【００９７】
またこの嵌合孔５１の左壁面５１ａ及び右壁面５１ｂには、それぞれ中央やや上方寄りの位置に、対向するようにして内側に突する、ブラケット５０と同じ厚さの凸部５２が形成されている。
【００９８】
これら左右の凸部５２は、センサ取り付け時に、センサケース４１の左側面４１ｃ及び右側面４１ｄに形成されている３つの当接面４２（４２ａ、４２ｂ、４２ｃ）のうち、ブラケット５０の厚さに対応する当接面４２ｃに、凸部５２の後面５２ａが当接するように、その位置が決められている。
【００９９】
また嵌合孔５１は、発光センサ４０のセンサケース４１と嵌合したときに、センサケース４１の下面４１ａから露出するコネクタ２４を塞いでしまわないように、下端側がコネクタ２４の形状に合わせて開口している。
【０１００】
尚、ここでは説明を省略したが、実際、発光センサ４０と対向する位置に受光センサが取り付けられるようになっていて、その位置にも、ブラケット５０と同様の構成でなる、受光センサ取り付け用のブラケットが設けられている。
【０１０１】
［２−２．動作及び効果］
以上の構成において、ブラケット５０に発光センサ４０を取り付ける場合、図８及び図９に示すように、ブラケット５０の後面５０ｂ側から、ブラケット５０の嵌合孔５１に対して、発光センサ４０のセンサケース４１を前方に傾けた状態で対向させて挿入していく。
【０１０２】
このときセンサケース４１の上面４１ｅに形成されている係止突起４３が、ブラケット５０の嵌合孔５１を通り抜けるまで、センサケース４１を前方に傾けた状態のまま、ブラケット５０の嵌合孔５１に挿入していく。尚、このときセンサケース４１の下部は、まだ嵌合孔５１に挿入されていないことになる。
【０１０３】
センサケース４１の係止突起４３がブラケット５０の嵌合孔５１を通り抜けたら、次に、図９（Ａ）に示すように、係止突起４３の後面４３ａをブラケット５０の嵌合孔５１の上壁面５１ｃの縁に引っ掛け、この縁を支軸として、センサケース４１をその傾きを無くす方向に回転させていく。
【０１０４】
すると、センサケース４１の左右のアーム２７に形成された係止突起２８の前面２８ａが、ブラケット５０の嵌合孔５１の左壁面５１ａ及び右壁面５１ｂの縁に当接する。
【０１０５】
この状態からさらにセンサケース４１を押し込んで回転させていくと、左右のアーム２７の先端に形成された係止突起２８が、嵌合孔５１の左壁面５１ａ及び右壁面５１ｂに押さえ付けられることで、左右のアーム２７の先端が左右の凹部２６の底に近づくように変形しながら、センサケース４１の下部が嵌合孔５１に挿入されていく。
【０１０６】
さらに回転させていき、図９（Ｂ）に示すように、センサケース４１の左右のアーム２７の係止突起２８が、嵌合孔５１を通り抜けて、センサケース４１全体が嵌合孔５１に嵌合すると、このとき左右のアーム２７には、復元力として、それぞれの先端がセンサケース４１の凹部２６の底から離れようとする力が作用する。この結果、左右のアーム２７が元の形状に戻り、それぞれの側面２７ａが、嵌合孔５１の左壁面５１ａ及び右壁面５１ｂに当接する。
【０１０７】
またこのとき、センサケース４１の左側面４１ｃ及び右側面４１ｄに形成されている当接面４２ｃが、嵌合孔５１の左壁面５１ａ及び右壁面５１ｂに形成されている左右の凸部５２の後面５２ａに当接すると共に、センサケース４１の上面４１ｅに形成されている係止突起４３の後面４３ｂと、左右のアーム２７に形成されている係止突起２８の後面２８ｂとが、ブラケット５０の前面５０ａに当接する。
【０１０８】
この結果、ブラケット５０の嵌合孔５１に嵌合されたセンサケース４１は、係止突起２８の後面２８ｂ及び係止突起４３の後面４３ｂと、当接面４２ｃとの間で、ブラケット５０をその厚さ方向に挟み込み、ブラケット５０に係止された状態となる。かくして、ブラケット５０に発光センサ４０が固定保持される。
【０１０９】
尚、この場合、係止突起２８の後面２８ｂ及び係止突起４３の後面４３ｂと、当接面４２ｃとの距離が、ブラケット５０の厚さと等しくなっていることにより、これらの間で、ブラケット５０を確実に挟み込めるようになっているのである。
【０１１０】
このようにして、ブラケット５０に発光センサ４０が取り付けられる。
【０１１１】
このように、第２の実施の形態の取り付け機構では、発光センサ４０のセンサケース４１の両側面４１ｃ、４１ｄに、アーム２７を形成すると共に、ブラケット５０の嵌合孔５１の両壁面５１ａ、５１ｂに形成されている凸部５２の後面５２ａと当接する当接面４２ｃを形成し、さらにセンサケース４１の上面４１ｅに係止突起４３を形成するようにした。
【０１１２】
そして、このセンサケース４１を、ブラケット５０に形成された嵌合孔５１に嵌合したときに、センサケース４１の左右のアーム４７に形成されている係止突起２８、及びセンサケース４１の上面４１ｅに形成されている係止突起４３と、センサケース４１の両側面４１ｃ、４１ｄに形成されている当接面４２ｃとの間で、ブラケット５０をその厚さ方向に挟み込んで保持するようにした。
【０１１３】
こうすることで、保持板を形成できない金属板でなるブラケット５０に対しても、発光センサ４０を固定保持させることができる。
【０１１４】
また、発光センサ４０は、センサケース４１の両側面４１ｃ、４１ｄに、厚さの異なる３種類のブラケットに対応できるよう、前面４１ａとの距離が異なる３つの当接面４２（４２ａ、４２ｂ、４２ｃ）を形成するようにした。
【０１１５】
これにより、発光センサ４０は、厚さの異なる３種類のブラケット５０に取り付けることができるようになっている。尚、ブラケット５０の嵌合孔５１の凸部５２は、ブラケット５０の厚さに対応する当接面４２（４２ａ、４２ｂ、４２ｃ）に当接するように、その位置が決められている。
【０１１６】
また、発光センサ４０は、第１の実施の形態の発光センサ３０とほぼ同形状であり、両側面４１ｃ、４１ｄに発光センサ３０と同様のアーム２７を有しているので、ブラケット５０だけでなく、保持板３２を有する搬送ガイド３０にも取り付けることができる。
【０１１７】
このように、発光センサ４０は、別途、取り付け用の部品などを用いることなく、厚さの異なるブラケット５０や、搬送ガイド３０に取り付けることができる。これにより、例えば、監視センサの取り付け機構を、実装条件に応じて選択するようなこともできる。
【０１１８】
以上の構成によれば、別途、取り付け用の部品などを用いることなく、発光センサ４０を、厚さの異なるブラケット５０や、搬送ガイド３０に取り付けることができる。これにより、部品点数を抑えることができると共に、発光センサ４０を種々の取り付け機構で汎用的に用いることができる。かくして、第１の実施の形態と比してさらにコストを低減することができる。
【０１１９】
［３．第３の実施の形態］
次に第３の実施の形態について説明する。この第３の実施の形態は、センサケースのアームの形状が第１の実施の形態及び第２の実施の形態とは異なる実施の形態である。
【０１２０】
尚、センサケースのアーム以外の構成、現金自動預払機１の構成、センサケースを取り付ける搬送ガイド３０の構成などについては、第１の実施の形態と同様であるので、第１の実施の形態を参照とする。ゆえに、ここでは、主にセンサケースのアームについて説明する。
【０１２１】
［３−１．センサケースのアーム］
センサケースのアームについて、図１０及び図１１（断面図）を用いて説明する。
【０１２２】
尚、この場合も、監視センサを構成する発光センサと受光センサは、センサの種類が異なる点をのぞけば、ほぼ同じ構成となっている。ゆえに、ここでは、主に、発光センサのアームについて説明することとする。
【０１２３】
図１０に示すように、発光センサ６０のセンサケース６１には、その左側面６１ａ及び右側面６１ｂに、それぞれ中央やや下面６１ｃ寄りの一部分に凹部２６が形成されていて、この凹部２６に埋まるようにしてアーム６２が形成されている。
【０１２４】
左右のアーム６２は、それぞれ凹部２６の後端側から前端側へと延びる断面略Ｌ字型の板状でなり、アーム６２の先端側と凹部２６の底との間に隙間が空くようにしてセンサケース６１と一体に形成されている。
【０１２５】
さらにこれら左右のアーム６２は、弾性を有していることにより、それぞれ先端を凹部２６の底に近づける方向及び遠ざける方向に弾性変形可能となっている。
【０１２６】
さらにこれら左右のアーム６２のそれぞれの先端には、外側に突する係止突起６３が形成されている。この係止突起６３は、前面６３ａがテーパ面となっている。
【０１２７】
くわえて、この第３の実施の形態では、アーム６２の側面６２ａが、先端に向かって外側に傾斜するテーパ面となっていて、アーム６２が、全体として先端にいくほど外側に広がる形状をなしている。
【０１２８】
因みに、このアーム６２を、第１の実施の形態のアーム２７と比較すると、図１１（断面図）に示すように、アーム２７の側面２７ａに対して断面三角形のテーパ部分６４を追加した形状となっている。
【０１２９】
またアーム６２の先端に形成された係止突起６３は、後面６３ｂが、アーム６２の側面６２ａに向かって上方（アーム６２の先端から後端に向かう方向）に傾斜するテーパ面となっていて、全体として断面略台形で前方が尖ったくさび形状をなしている。
【０１３０】
因みに、この係止突起６３を、第１の実施の形態の係止突起２８と比較すると、図１１（断面図）に示すように、係止突起２８の後面２８ｂに断面三角形のテーパ部分６５を追加した形状となっている。
【０１３１】
［３−２．動作及び効果］
以上の構成において、搬送ガイド３０に発光センサ６０を取り付ける場合、第１の実施の形態と同様の取り付け方で取り付ける。
【０１３２】
搬送ガイド３０に発光センサ６０を取り付けると、このとき、図１２（断面図）に示すように、搬送ガイド３０の左右の保持板３２の内側面３２ａに、センサケース６１の左右のアーム６２の側面６２ａが当接する。
【０１３３】
またこのとき、左右の保持板３２の嵌合穴３３の後端側の係止面３３ａに、センサケース６１の係止突起６３の後面６３ｂが当接する。
【０１３４】
ここで、センサケース６１側の当接部分である左右のアーム６２の側面６２ａ、及び左右の係止突起６３の後面６３ｂを、搬送ガイド３０側の当接部分である左右の保持板３２の内側面３２ａ、及び左右の保持板３２の嵌合穴３３の係止面３３ａに対して平行な面とするのではなくテーパ面としたことで、センサケース６１や保持板３２の大きさに製造上のばらつきがあったとしても、このばらつきをテーパ面の傾斜によって吸収できる。
【０１３５】
実際、センサケース６１や保持板３２の大きさに製造上のばらつきがあると、テーパ面の傾斜により、保持板３２に対するセンサケース６１の位置が、このばらつきを吸収する方向（前後方向）にずれる。
【０１３６】
この結果、センサケース６１側の当接部分と搬送ガイド３０側の当接部分とを常に当接させることができ、保持板３２とセンサケース６１との間に隙間が発生してしまうことを防ぐことができる。
【０１３７】
またセンサケース６１が基準のサイズより大きかったり、保持板３２が基準のサイズより小さかったりした場合には、図１３（断面図）に示すように、弾性変形可能な左右のアーム６２がそれぞれ矢印の示す方向にたわんで変形することにより、取り付け状態を保持できるようにもなっている。
【０１３８】
以上の構成によれば、この第３の実施の形態では、第１の実施の形態と同様の効果にくわえて、搬送ガイド３０の保持板３２とセンサケース６１との間に隙間が発生してしまうことを防いで、がたつきを防止するという効果を得ることができる。
【０１３９】
［４．第４の実施の形態］
次に第４の実施の形態について説明する。この第４の実施の形態は、監視センサの取り付け機構の構成が第２の実施の形態とは異なる実施の形態である。
【０１４０】
［４−１．監視センサの取り付け機構］
この第４の実施の形態では、監視センサを金属板のブラケットに取り付ける場合を例に、図１４及び図１５を用いて説明する。
【０１４１】
尚、この場合も、監視センサを構成する発光センサと受光センサは、センサの種類が異なる点をのぞけば、ほぼ同じ構成となっている。ゆえに、ここでは、主に、発光センサの取り付けについて説明することとする。
【０１４２】
図１４に示すように、発光センサ７０は、縦長の略直方体形状でなるセンサケース７１を有している。このセンサケース７１は、合成樹脂で形成され、その内部に基板２２が固定されている。さらにこの基板２２には、センサ素子（すなわち発光素子）２３と接続用のコネクタ２４とが実装され、コネクタ２４の端子部分がセンサケース７１の下面７１ａから露出するようになっている。
【０１４３】
さらにセンサケース７１の前面７１ｂ上方には、センサケース７１内のセンサ素子２３と光軸を一致させるようにして円柱状の光路部２５が突設されている。
【０１４４】
さらにセンサケース７１の左側面７１ｃ及び右側面７１ｄには、それぞれ中央やや下面７１ａ寄りの一部分に凹部２６が形成されていて、この凹部２６に埋まるようにして第３の実施の形態と同様のアーム６２が形成されている。
【０１４５】
さらにこれら左右のアーム６２のそれぞれの先端には、第３の実施の形態と同様の係止突起６３が形成されている。
【０１４６】
さらにセンサケース７１の左側面７１ｃ及び右側面７１ｄには、アーム６２とセンサケース７１の上面７１ｅとの間に、センサケース７１の前面７１ｂと平行で且つ前面７１ｂとの距離が異なる、第２の実施の形態と同様の３つの当接面４２（４２ａ、４２ｂ、４２ｃ）が、上面７１ｅ側から前面７１ｂとの距離が短い順に形成されている。
【０１４７】
くわえて、センサケース７１の左側面７１ｃ及び右側面７１ｄには、アーム６２とセンサケース７１の下面７１ａとの間にも、センサケース７１の前面７１ｂと平行で且つ前面７１ｂとの距離が異なる、３つの当接面７２（７２ａ、７２ｂ、７２ｃ）が、左側面７１ｃ及び右側面７１ｄの一部を切り欠くようにして、下面７１ａ側から前面７１ｂとの距離が短い順に形成されている。
【０１４８】
これら３つの当接面７２（７２ａ、７２ｂ、７２ｃ）も、それぞれ係止突起６３の後面６３ｂより後方に位置している。またこれら３つの当接面７２（７２ａ、７２ｂ、７２ｃ）は、詳しくは後述するが、センサ取り付け時に、ブラケット側の凸部が当接する面であり、厚さの異なる３種類のブラケットを、係止突起６３の後面６３ｂとの間で挟み込んで保持できるように、それぞれ係止突起６３の後面６３ｂとの距離が異なっている。
【０１４９】
尚、ここでは、アーム６２より上側の３つの当接面４２（４２ａ、４２ｂ、４２ｃ）を上側当接面４２（４２ａ、４２ｂ、４２ｃ）と呼び、アーム６２より下側の３つの当接面７２（７２ａ、７２ｂ、７２ｃ）を下側当接面７２（７２ａ、７２ｂ、７２ｃ）と呼ぶことにする。
【０１５０】
一方、図１５に示すように、ブラケット８０は、所定の厚さの金属板でなり、前面８０ａと反対側の後面８０ｂとを貫通する嵌合孔８１が形成されている。この嵌合孔８１は、発光センサ７０のセンサケース７１を前方から見た輪郭とほぼ同じ形状同じ大きさでなり、取り付け時に、発光センサ７０のセンサケース７１と嵌合するようになっている。
【０１５１】
またこの嵌合孔８１の左壁面８１ａ及び右壁面８１ｂには、それぞれ中央やや上方寄りの位置に、対向するようにして内側に突する、ブラケット８０と同じ厚さの凸部８２が形成されている。さらにこの嵌合孔８１の左壁面８１ａ及び右壁面８１ｂには、それぞれ中央やや下方寄りの位置に、対向するようにして内側に突する、ブラケット８０と同じ厚さの凸部８３が形成されている。
【０１５２】
尚、ここでは、上側の凸部８２を上側凸部８２と呼び、下側の凸部８３を下側凸部８３と呼ぶことにする。
【０１５３】
左右の上側凸部８２は、センサ取り付け時に、センサケース７１の両側面７１ｃ、７１ｄに形成されている３つの上側当接面４２（４２ａ、４２ｂ、４２ｃ）のうち、ブラケット８０の厚さに対応する上側当接面４２ｃに、上側凸部８２の後面８２ａが当接するように、その位置が決められている。
【０１５４】
一方、左右の下側凸部８３は、センサ取り付け時に、センサケース７１の両側面７１ｃ、７１ｄに形成されている３つの下側当接面７２（７２ａ、７２ｂ、７２ｃ）のうち、ブラケット８０の厚さに対応する下側当接面７２ｃに、下側凸部８３の後面８３ａが当接するように、その位置が決められている。
【０１５５】
また嵌合孔８１は、発光センサ７０のセンサケース７１と嵌合したときに、センサケース７１の下面７１ａから露出するコネクタ２４を塞いでしまわないように、下端側がコネクタ２４の形状に合わせて開口している。
【０１５６】
尚、ここでは説明を省略したが、実際、発光センサ７０と対向する位置に受光センサが取り付けられるようになっていて、その位置にも、ブラケット８０と同様の構成でなる、受光センサ取り付け用のブラケットが設けられている。
【０１５７】
［４−２．動作及び効果］
以上の構成において、ブラケット８０に発光センサ７０を取り付ける場合、図１５及び図１６に示すように、ブラケット８０の後面８０ｂ側から、ブラケット８０の後面８０ｂに発光センサ７０のセンサケース７１の前面７１ｂを対向させた状態で、ブラケット８０の嵌合孔８１にセンサケース７１を押し込んでいく。
【０１５８】
このときまずセンサケース７１のアーム６２に形成された左右の係止突起６３の前面６３ａが、ブラケット８０の嵌合孔８１の左壁面８１ａ及び右壁面８１ｂの縁に当接する。
【０１５９】
この状態からさらにセンサケース７１を押し込んでいくと、左右のアーム６２の先端に形成された係止突起６３が、嵌合孔８１の左壁面８１ａ及び右壁面８１ｂに押さえ付けられることで、左右のアーム６２の先端が左右の凹部２６の底に近づくように変形しながら、センサケース７１が嵌合孔８１に挿入されていく。
【０１６０】
さらに押し込んでいき、センサケース７１の左右の係止突起６３が、嵌合孔８１を通り抜けると、このとき左右のアーム６２には、復元力として、それぞれの先端がセンサケース７１の凹部２６の底から離れようとする力が作用する。この結果、左右のアーム６２は元の形状に戻る。
【０１６１】
このとき、左右のアーム６２のそれぞれの係止突起６３の後面６３ｂが、ブラケット８０の前面８０ａに当接する。
【０１６２】
またこのとき、センサケース７１の左側面７１ｃ及び右側面７１ｄに形成されている上側当接面４２ｃが、嵌合孔８１の左壁面８１ａ及び右壁面８１ｂに形成されている左右の上側凸部８２の後面８２ａに当接すると共に、センサケース７１の左側面７１ｃ及び右側面７１ｄに形成されている下側当接面７２ｃが、嵌合孔８１の左壁面８１ａ及び右壁面８１ｂに形成されている左右の下側凸部８３の後面８３ａに当接する。
【０１６３】
この結果、ブラケット８０の嵌合孔８１に嵌合されたセンサケース７１は、係止突起６３の後面６３ｂと、上側当接面４２ｃ及び下側当接面７２ｃとの間で、ブラケット８０をその厚さ方向に挟み込み、ブラケット８０に係止された状態となる。かくして、ブラケット８０にセンサケース７１が固定保持される。
【０１６４】
このようにして、ブラケット８０に発光センサ７０が取り付けられる。
【０１６５】
このように、第４の実施の形態の取り付け機構では、発光センサ７０のセンサケース７１の両側面７１ｃ、７１ｄに、アーム６２を形成すると共に、アーム６２の上側に、ブラケット８０の嵌合孔８１に形成されている上側凸部８２と当接する当接面４２ｃを形成し、さらにアーム６２の下側に、ブラケット８０の嵌合孔８１に形成されている下側凸部８３と当接する下側当接面７２ｃを形成するようにした。
【０１６６】
そして、このセンサケース７１を、ブラケット８０の嵌合孔８１に嵌合したときに、センサケース７１の左右のアーム６２に形成されている係止突起６３と、左右のアーム６２の上側に形成されている上側当接面４２ｃ及び下側に形成されている下側当接面７２ｃとの間で、ブラケット８０を厚さ方向に挟み込んで保持するようにした。
【０１６７】
こうすることで、金属板でなるブラケット８０に対して、発光センサ７０を固定保持させることができる。
【０１６８】
ところで、上述の第３の実施の形態では、アーム６２の側面６２ａと、アーム６２の先端に形成されている係止突起６３の後面６３ｂをテーパ面とすることで、保持板３２やセンサケース６１の大きさに製造上のばらつきがあったとしても、保持板３２とセンサケース６１との間に隙間が発生してしまうことを防ぐことができるようになっている。
【０１６９】
ここで、例えば、第２の実施の形態のセンサケース４１についても、アーム２７の側面２７ａ、及びアーム２７の先端に形成されている係止突起２８の後面２８ｂをテーパ面とすれば、ブラケット５０とセンサケース４１との間に隙間が発生してしまうことを防ぐことができる。
【０１７０】
しかしながら、この場合、ブラケット５０やセンサケース４１の大きさに製造上のばらつきがあると、テーパ面により、ブラケット５０に対するセンサケース４１の位置が、このばらつきを吸収しようとする方向（前後方向）にずれようとする。この場合、センサケース４１には、左右のアーム２７部分を前方に押し出そうとする力が作用する。
【０１７１】
このとき、センサケース４１のアーム２７より上側の部分は、当接面４２ｃがブラケット５０の凸部５２の後面５２ａと当接していることにより、ブラケット５０に押さえ付けられているが、アーム４１より下側の部分は、ブラケット５０と当接する部分がなくブラケット５０に押さえ付けられていないので、前方に押し出される。この結果、センサケース４１が、例えば図１７に示すように傾いてしまう。
【０１７２】
このようにセンサケース４１が傾いてしまうと、発光センサ４０と受光センサとの間で光軸がずれてしまうことになり、監視センサの監視精度が低下しかねない。
【０１７３】
そこで、この第４の実施の形態では、アーム６２の側面６２ａと、アーム６２の先端に形成されている係止突起６３の後面６３ｂをテーパ面とすると共に、センサケース７１のアーム６２の上側だけでなく、下側にも、下側当接面７２（７２ａ、７２ｂ、７２ｃ）を設けることで、アーム６２の上側だけでなく下側もブラケット８０に押さえ付けられるようにした。
【０１７４】
これにより、センサケース７１が傾いてしまうことを防ぐことができ、発光センサ７０と受光センサとの間で光軸がずれてしまうことを防ぐことができる。換言すれば、センサケース７１の傾きを考慮しなくてよい分、発光センサ７０と受光センサとの間の光軸の調整が容易であるとも言える。
【０１７５】
以上の構成によれば、この第４の実施の形態では、ブラケット８０とセンサケース７１との間に隙間が発生してしまうことを防ぐことができ、且つセンサケース１の傾きを防いで発光センサ７０と受光センサとの間の光軸のずれを防ぐことができる。
【０１７６】
［５．第５の実施の形態］
次に第５の実施の形態について説明する。この第５の実施の形態は、監視センサの取り付け機構の構成が第４の実施の形態とは異なる実施の形態である。
【０１７７】
［５−１．監視センサの取り付け機構］
この第５の実施の形態では、監視センサを金属板のブラケットに取り付ける場合を例に、図１８乃至図２０を用いて説明する。
【０１７８】
尚、この場合も、監視センサを構成する発光センサと受光センサは、センサの種類が異なる点をのぞけば、ほぼ同じ構成となっている。ゆえに、ここでは、主に、発光センサの取り付けについて説明することとする。
【０１７９】
図１８に示すように、発光センサ２００は、縦長の略直方体形状でなるセンサケース２０１を有している。このセンサケース２０１は、合成樹脂で形成され、その内部に基板２２が固定されている。さらにこの基板２２には、センサ素子（すなわち発光素子）２３と接続用のコネクタ２４とが実装され、コネクタ２４の端子部分がセンサケース２０１の下側から露出するようになっている。
【０１８０】
さらにセンサケース２０１の前面２０１ａ上方には、センサケース２０１内のセンサ素子２３と光軸を一致させるようにして円柱状の光路部２５が突設されている。
【０１８１】
さらにセンサケース２０１の左側面２０１ｂ及び右側面２０１ｃには、それぞれ中央やや下端寄りの一部分に凹部２６が形成されていて、この凹部２６に埋まるようにして第３の実施の形態と同様のアーム６２が形成されている。
【０１８２】
さらにこれら左右のアーム６２のそれぞれの先端には、第３の実施の形態と同様の係止突起６３が形成されている。
【０１８３】
さらにセンサケース２０１の左側面２０１ｂ及び右側面２０１ｃには、アーム６２とセンサケース２０１の上面２０１ｄとの間に、センサケース２０１の前面２０１ａと平行で且つ前面２０１ａとの距離が異なる、２つの当接面２０２（２０２ａ、２０２ｂ）が、左側面２０１ｂ及び右側面２０１ｃの一部を切り欠くようにして、上面２０１ｄ側から前面２０１ａとの距離が短い順に形成されている。
【０１８４】
これら２つの当接面２０２（２０２ａ、２０２ｂ）は、それぞれ係止突起６３の後面６３ｂより後方に位置している。またこれら２つの当接面２０２（２０２ａ、２０２ｂ）は、詳しくは後述するが、センサ取り付け時に、ブラケット側の一部が当接する面であり、厚さの異なる２種類のブラケットを、係止突起６３の後面６３ｂとの間で挟み込んで保持できるように、それぞれ係止突起６３の後面６３ｂとの距離が異なっている。
【０１８５】
さらにセンサケース２０１の左側面２０１ｂ及び右側面２０１ｃには、アーム６２の下方に、センサケース２０１の前面２０１ａと平行で左側面２０１ｂ及び右側面２０１ｃの下端から上方に延在する１つの当接面２０３が、左側面２０１ｂ及び右側面２０１ｃの一部を切り欠くようにして形成されている。この当接面２０３は、係止突起６３の後面６３ｂより後方に位置していて、センサケース２０１の前面２０１ａからの距離が、アーム６２の上方に設けられた２つの当接面２０２のうち、前面２０１ａとの距離が短い方の当接面２０２ａと等しくなっている。
【０１８６】
さらにセンサケース２０１の左側面２０１ｂ及び右側面２０１ｃには、アーム６２の下方、且つ当接面２０３の後方に、係止突起２０４が突設されている。
【０１８７】
この係止突起２０４は、前面２０４ａがセンサケース２０１の両側面２０１ｂ、２０１ｃに対する直交面となっている一方で、後面２０４ｂがテーパ面（傾斜面）となっており、全体として、後方が尖ったくさび形状をなしている。
【０１８８】
この係止突起２０４の前面２０４ａは、係止突起６３の後面６３ｂより後方に位置していて、センサケース２０１の前面２０１ａからの距離が、アーム６２の上方に設けられた２つの当接面２０２のうち、前面２０１ａとの距離が遠い方の当接面２０２ｂと等しくなっている。
【０１８９】
これら当接面２０３及び係止突起２０４の前面２０４ａは、詳しくは後述するが、センサ取り付け時に、ブラケット側の一部が当接する面であり、厚さの異なる２種類のブラケットを、係止突起６３の後面６３ｂとの間で挟み込んで保持できるように、それぞれ係止突起６３の後面６３ｂとの距離が異なっている。
【０１９０】
尚、ここでは、アーム６２より上側の２つの当接面２０２（２０２ａ、２０２ｂ）を上側当接面２０２（２０２ａ、２０２ｂ）と呼び、アーム６２より下側の当接面２０３を下側当接面２０３と呼ぶことにする。
【０１９１】
さらにセンサケース２０１の両側面２０１ｂ、２０１ｃは、下側当接面２０３と前面２０１ａとの間の部分が切り取られていて、この部分からコネクタ２４の側面が露出するようになっている。
【０１９２】
一方、ブラケットは、金属板でなり、厚さの異なる２種類が有り、薄い方のブラケット２１０を図１９に示す。
【０１９３】
このブラケット２１０は、前面２１０ａと反対側の後面２１０ｂとを貫通する嵌合孔２１１が形成されている。この嵌合孔２１１は、発光センサ２００のセンサケース２０１を前方から見た輪郭とほぼ同じ形状同じ大きさでなり、取り付け時に、発光センサ２００のセンサケース２０１と嵌合するようになっている。
【０１９４】
またこの嵌合孔２１１の左壁面２１１ａ及び右壁面２１１ｂには、それぞれ中央部分に、外側に凹んだ凹部２１２が形成されている。
【０１９５】
尚、左壁面２１１ａ及び右壁面２１１ｂの凹部２１２より上の部分２１３を、それぞれ壁面上部２１３と呼び、左壁面２１１ａ及び右壁面２１１ｂの凹部２１２より下の部分２１４を、それぞれ壁面下部２１４と呼ぶことにする。
【０１９６】
左右の凹部２１２は、センサ取り付け時に、センサケース２０１の両側面２０１ｂ、２０１ｃの上部に形成されている２つの上側当接面２０２（２０２ａ、２０２ｂ）のうち、薄い方のブラケット２１０の厚さに対応する上側当接面２０２ａに壁面上部２１３の後面２１３ａが当接すると共に、センサケース２０１の両側面２０１ｂ、２０１ｃに形成されている下側当接面２０３に壁面下部２１４の後面２１４ａが当接するように、その位置が決められている。
【０１９７】
また嵌合孔２１１は、発光センサ２００のセンサケース２０１と嵌合したときに、センサケース２０１の下部から露出するコネクタ２４を塞いでしまわないように、下端側がコネクタ２４の形状に合わせて開口している。
【０１９８】
尚、ここでは説明を省略したが、実際、発光センサ２００と対向する位置に受光センサが取り付けられるようになっていて、その位置にも、ブラケット２１０と同様の構成でなる、受光センサ取り付け用のブラケットが設けられている。
【０１９９】
これに対して、厚い方のブラケット２２０を図２０に示す。ブラケット２２０は、ブラケット２１０よりも厚い金属板でなり、前面２２０ａと反対側の後面２２０ｂとを貫通する嵌合孔２２１が形成されている。この嵌合孔２２１は、発光センサ２００のセンサケース２０１を前方から見た輪郭とほぼ同じ形状同じ大きさでなり、取り付け時に、発光センサ２００のセンサケース２０１と嵌合するようになっている。
【０２００】
またこの嵌合孔２２１の左壁面２２１ａ及び右壁面２２１ｂには、それぞれ中央やや上方寄りの位置に、対向するようにして内側に突する、ブラケット２２０と同じ厚さの凸部２２２が形成されている。
【０２０１】
左右の凸部２２２は、センサ取り付け時に、センサケース２０１の両側面２０１ｂ、２０１ｃに形成されている２つの上側当接面２０２（２０２ａ、２０２ｂ）のうち、厚い方のブラケット２２０の厚さに対応する上側当接面２０２ｂに凸部２２２の後面２２２ａが当接するように、その位置が決められている。
【０２０２】
また嵌合孔２２１は、発光センサ２００のセンサケース２０１と嵌合したときに、センサケース２０１の下部から露出するコネクタ２４を塞いでしまわないように、下端側がコネクタ２４の形状に合わせて開口している。
【０２０３】
尚、ここでは説明を省略したが、実際、発光センサ２００と対向する位置に受光センサが取り付けられるようになっていて、その位置にも、ブラケット２２０と同様の構成でなる、受光センサ取り付け用のブラケットが設けられている。
【０２０４】
［５−２．動作及び効果］
以上の構成において、薄い方のブラケット２１０に発光センサ２００を取り付ける場合、図１９及び図２１に示すように、ブラケット２１０の後面２１０ｂ側から、ブラケット２１０の後面２１０ｂに発光センサ２００のセンサケース２０１の前面２０１ａを対向させた状態で、ブラケット２１０の嵌合孔２１１にセンサケース２０１を押し込んでいく。
【０２０５】
このときまずセンサケース２０１のアーム６２に形成された左右の係止突起６３の前面６３ａが、ブラケット２１０の嵌合孔２１１の左壁面２１１ａ及び右壁面２１１ｂの縁に当接する。
【０２０６】
この状態からさらにセンサケース２０１を押し込んでいくと、左右のアーム６２の先端に形成された係止突起６３が、嵌合孔２１１の左壁面２１１ａ及び右壁面２１１ｂに押さえ付けられることで、左右のアーム６２の先端が左右の凹部２６の底に近づくように変形しながら、センサケース２０１が嵌合孔２１１に挿入されていく。
【０２０７】
さらに押し込んでいき、センサケース２０１の左右の係止突起６３が、嵌合孔２１１を通り抜けると、このとき左右のアーム６２には、復元力として、それぞれの先端がセンサケース２０１の凹部２６の底から離れようとする力が作用する。この結果、左右のアーム６２は元の形状に戻る。
【０２０８】
このとき、左右のアーム６２のそれぞれの係止突起６３の後面６３ｂが、ブラケット２１０の前面２１０ａに当接する。
【０２０９】
またこのとき、センサケース２０１の左側面２０１ｂ及び右側面２０１ｃに形成されている上側当接面２０２ａが、嵌合孔２１１の左右の壁面上部２１３の後面２１３ａに当接すると共に、センサケース２０１の左側面２０１ｂ及び右側面２０１ｃに形成されている下側当接面２０３が、嵌合孔２１１の左右の壁面下部２１４の後面２１４ａに当接する。
【０２１０】
この結果、ブラケット２１０の嵌合孔２１１に嵌合されたセンサケース２０１は、係止突起６３の後面６３ｂと、上側当接面２０２ａ及び下側当接面２０３との間で、ブラケット２１０をその厚さ方向に挟み込み、ブラケット２１０に係止された状態となる。かくして、ブラケット２１０にセンサケース２０１が固定保持される。
【０２１１】
またこのとき、センサケース２０１は、上面２０１ｄが、ブラケット２１０の嵌合孔２１１の上壁面２１１ｃに当接すると共に、左側面２０１ｂ及び右側面２０１ｃの下側当接面２０３より前側に位置する前側下端面２０５が、ブラケット２１０の嵌合孔２１１の左壁面２１１ａ及び２１１ｂの下端に位置する下端面２１５に当接することで、ブラケット２１０に上下方向に挟み込まれて係止された状態となる。
【０２１２】
尚、このときの、センサケース２０１の前側下端面２０５とブラケット２１０の下端面２１５とが接する部分の面積は、図２１（Ｃ）に示すａ１×ｂ１となる。
【０２１３】
かくして、ブラケット２１０にセンサケース２０１が固定保持される。このようにして、ブラケット２１０に発光センサ２００が取り付けられる。
【０２１４】
一方、厚い方のブラケット２２０に発光センサ２００を取り付ける場合、図２０及び図２２に示すように、ブラケット２２０の後面２２０ｂ側から、ブラケット２２０の後面２２０ｂに発光センサ２００のセンサケース２０１の前面２０１ａを対向させた状態で、ブラケット２２０の嵌合孔２２１にセンサケース２０１を押し込んでいく。
【０２１５】
このときまずセンサケース２０１のアーム６２に形成された左右の係止突起６３の前面６３ａが、ブラケット２２０の嵌合孔２２１の左壁面２２１ａ及び右壁面２２１ｂの縁に当接する。
【０２１６】
この状態からさらにセンサケース２０１を押し込んでいくと、左右のアーム６２の先端に形成された係止突起６３が、嵌合孔２２１の左壁面２２１ａ及び右壁面２２１ｂに押さえ付けられることで、左右のアーム６２の先端が左右の凹部２６の底に近づくように変形しながら、センサケース２０１が嵌合孔２２１に挿入されていく。
【０２１７】
さらに押し込んでいき、センサケース２０１の左右の係止突起６３が、嵌合孔２２１を通り抜けると、このとき左右のアーム６２には、復元力として、それぞれの先端がセンサケース２０１の凹部２６の底から離れようとする力が作用する。この結果、左右のアーム６２は元の形状に戻る。
【０２１８】
このとき、左右のアーム６２のそれぞれの係止突起６３の後面６３ｂが、ブラケット２２０の前面２２０ａに当接する。
【０２１９】
またこのとき、センサケース２０１の左側面２０１ｂ及び右側面２０１ｃに形成されている上側当接面２０２ｂが、嵌合孔２２１の左右の凸部２２２の後面２２２ａに当接すると共に、センサケース２０１の左側面２０１ｂ及び右側面２０１ｃに形成されている係止突起２０４の前面２０４ａが、ブラケット２２０の後面２２０ｂに当接する。
【０２２０】
この結果、ブラケット２２０の嵌合孔２２１に嵌合されたセンサケース２０１は、係止突起６３の後面６３ｂと、上側当接面２０２ｂ及び係止突起２０４の前面２０４ａとの間で、ブラケット２２０をその厚さ方向に挟み込み、ブラケット２２０に係止された状態となる。
【０２２１】
またこのとき、センサケース２０１は、上面２０１ｄが、ブラケット２２０の嵌合孔２２１の上壁面２２１ｃに当接すると共に、左側面２０１ｂ及び右側面２０１ｃの下側当接面２０３より後側に位置する後側下端面２０６が、ブラケット２２０の嵌合孔２２１の左壁面２２１ａ及び２２１ｂの下端に位置する下端面２２３に当接することで、ブラケット２２０に上下方向に挟み込まれて係止された状態となる。
【０２２２】
尚、このときの、センサケース２０１の後側下端面２０６とブラケット２２０の下端面２２３とが接する部分の面積は、図２２（Ｃ）に示すａ２×ｂ２となる。
【０２２３】
かくして、ブラケット２２０にセンサケース２０１が固定保持される。このようにして、ブラケット２２０に発光センサ２００が取り付けられる。
【０２２４】
こうすることで、第５の実施の形態では、厚さの異なる２種類のブラケット２１０、２２０に対して、発光センサ２００を取り付けることができる。
【０２２５】
またこの第５の実施の形態では、上述の第４の実施の形態と同様、アーム６２の側面６２ａと、アーム６２の先端に形成されている係止突起６３の後面６３ｂをテーパ面とすると共に、センサケース２０１のアーム６２の上側だけでなく、下側にも、当接面となる下側当接面２０３及び係止突起２０４の前面２０４ａを設けることで、アーム６２の上側だけでなく下側もブラケット２１０、２２０に押さえ付けられるようにした。
【０２２６】
これにより、センサケース２０１が傾いてしまうことを防ぐことができ、発光センサ２００と受光センサとの間で光軸がずれてしまうことを防ぐことができる。
【０２２７】
さらにこの第５の実施の形態では、センサケース２０１の両側面２０１ｂ、２０１ｃの下側当接面２０３とセンサケース２０１の前面２０１ａとの間の部分が切り取られていて、この部分からコネクタ２４の側面が露出するようになっている。
【０２２８】
こうしたことで、センサケース２０１は、下側当接面２０３と前面２０１ａとの間の部分が切り取られていないセンサケースと比較して、この部分の厚みが無い分、センサケース２０１内部の収納スペースを左右方向に広くすることができる。
【０２２９】
これにより、例えば、第４の実施の形態のセンサケース７１と比較して、センサケース２０１の大きさは変えずに、より大きなサイズのコネクタ２４を内部に収納できるようになる。
【０２３０】
ところで、第４の実施の形態のセンサケース７１についても、下側当接面７２（７２ａ、７２ｂ、７２ｃ）と、センサケース７１の前面７１ｂとの間の部分を切り取るようにすれば、センサケース７１の内部の収納スペースを左右方向に広くすることができる。
【０２３１】
ところが、センサケース７１の場合、下側当接面７２（７２ａ、７２ｂ、７２ｃ）が、３段分有り、下側当接面７２（７２ａ、７２ｂ、７２ｃ）と前面７１ｂとの間の部分の面積が、第５の実施の形態のセンサケース２０１と比較して大きい。
【０２３２】
ゆえに、この部分を切り取った場合に、センサケース７１の強度不足を考慮しなくてはならなくなる。
【０２３３】
そこで、この第５の実施の形態では、下側当接面２０３を１段にして切り取る部分を最小限にすることで強度不足を解消しつつ、下側当接面２０３の後方に係止突起２０４を設けて、この係止突起２０４の前面２０４ａを当接面として機能させることにより、２種類の異なる厚さのブラケット２１０、２２０に対応できるようになっている。
【０２３４】
以上の構成によれば、この第５の実施の形態では、第４の実施の形態と同様の効果にくわえて、強度を保ったままセンサケース７１内部の収納スペースを広くすることができるという効果を得ることができる。
【０２３５】
［６．第６の実施の形態］
次に第６の実施の形態について説明する。この第６の実施の形態は、監視センサの取り付け機構の構成が第５の実施の形態とは異なる実施の形態である。
【０２３６】
［６−１．監視センサの取り付け機構］
この第６の実施の形態では、監視センサを金属板のブラケットに取り付ける場合を例に、図２３乃至図２５を用いて説明する。
【０２３７】
尚、この場合も、監視センサを構成する発光センサと受光センサは、センサの種類が異なる点をのぞけば、ほぼ同じ構成となっている。ゆえに、ここでは、主に、発光センサの取り付けについて説明することとする。
【０２３８】
図２３に示すように、発光センサ３００は、縦長の略直方体形状でなるセンサケース３０１を有している。このセンサケース３０１は、合成樹脂で形成され、その内部に基板２２が固定されている。さらにこの基板２２には、センサ素子（すなわち発光素子）２３と接続用のコネクタ２４とが実装され、コネクタ２４の端子部分がセンサケース３０１の下側から露出するようになっている。
【０２３９】
さらにセンサケース３０１の前面３０１ａ上方には、センサケース３０１内のセンサ素子２３と光軸を一致させるようにして円柱状の光路部２５が突設されている。
【０２４０】
さらにセンサケース３０１の左側面３０１ｂ及び右側面３０１ｃには、それぞれ中央やや下端寄りの一部分に凹部２６が形成されていて、この凹部２６に埋まるようにして第５の実施の形態と同様のアーム６２が形成されている。
【０２４１】
さらにこれら左右のアーム６２のそれぞれの先端には、第５の実施の形態と同様の係止突起６３が形成されている。
【０２４２】
さらにセンサケース３０１の左側面３０１ｂ及び右側面３０１ｃには、アーム６２の下方に、センサケース３０１の前面３０１ａと平行でセンサケース３０１の下端から上方に延在する、第５の実施の形態と同様の１つの当接面２０３が形成されている。この当接面２０３は、アーム６２の先端に形成された係止突起６３の後面６３ｂより後方に位置している。
【０２４３】
さらにセンサケース３０１の左側面３０１ｂ及び右側面３０１ｃには、アーム６２の下方、且つ当接面２０３の後方に、第５の実施の形態と同様の係止突起２０４が突設されている。
【０２４４】
この係止突起２０４は、前面２０４ａがセンサケース３０１の両側面３０１ｂ、３０１ｃに対する直交面となっている一方で、後面２０４ｂがテーパ面（傾斜面）となっており、全体として、後方が尖ったくさび形状をなしている。
【０２４５】
尚、アーム６２の下方に設けられた当接面２０３と係止突起２０４の前面２０４ａは、詳しくは後述するが、センサ取付時に、ブラケット側の一部が当接する面であり、厚さの異なる２種類のブラケットを係止突起６３の後面６３ｂとの間で挟み込んで保持できるように、それぞれ係止突起６３の後面６３ｂとの距離が異なっている。
【０２４６】
さらにセンサケース３０１の左側面３０１ｂ及び右側面３０１ｃは、第５の実施の形態と同様、アーム２６の下方に設けられた当接面２０３と前面３０１ａとの間の部分が切り取られていて、この部分からコネクタ２４の側面が露出するようになっている。
【０２４７】
さらにセンサケース３０１の左側面３０１ｂ及び右側面３０１ｃには、アーム６２とセンサケース３０１の上面３０１ｄとの間の部分を、上部、中部、下部の３つの部分に分けたうちの上部に、センサケース３０１の前面３０１ａと平行で左側面３０１ｂ及び右側面３０１ｃの上端から下方に延在する当接面３０２が、左側面３０１ｂ及び右側面３０１ｃの一部を切り欠くようにして形成されている。
【０２４８】
この当接面３０２は、アーム６２の先端に形成された係止突起６３の後面６３ｂより後方に位置していて、センサケース３０１の前面３０１ａからの距離が、アーム６２の下方に設けられた当接面２０３と等しくなっている。
【０２４９】
尚、アーム６２より上側の当接面３０２を上側当接面３０２と呼び、アーム６２より下側の当接面２０３を下側当接面２０３と呼ぶことにする。
【０２５０】
さらにアーム６２とセンサケース３０１の上面３０１ｄとの間の部分の中部には、係止突起２０４と同形同サイズの係止突起３０３が突設されている。
【０２５１】
すなわち、この係止突起３０３は、前面３０４ａがセンサケース３０１の両側面３０１ｂ、３０１ｃに対する直交面となっている一方で、後面３０４ｂがテーパ面（傾斜面）となっており、全体として、後方が尖ったくさび形状をなしている。
【０２５２】
この係止突起３０３の前面３０４ａは、センサケース３０１の前面３０１ａからの距離が、アーム６２の下方に設けられた係止突起２０４の前面２０４ａと等しくなっている。
【０２５３】
尚、アーム６２より上側の係止突起３０３を上側係止突起３０３と呼び、アーム６２より下側の係止突起２０４を下側係止突起２０４と呼ぶことにする。
【０２５４】
また、アーム６２の上方に設けられた上側当接面３０２と上側係止突起３０３の前面３０３ａも、詳しくは後述するが、センサ取付時に、ブラケット側の一部が当接する面であり、厚さの異なる２種類のブラケットを係止突起６３の後面６３ｂとの間で挟み込んで保持できるように、それぞれ係止突起６３の後面６３ｂとの距離が異なっている。
【０２５５】
すなわち、センサケース３０１は、係止突起６３の後面６３ｂとアーム６２の上方及び下方に設けられた上側当接面３０２及び下側当接面２０３とで、又は係止突起６３の後面６３ｂとアーム６２の上方及び下方に設けられた上側係止突起３０３の前面３０３ａ及び下側係止突起２０４の前面２０４ａとで、厚さの異なる２種類のブラケットを挟み込んで保持できるようになっている。
【０２５６】
さらにアーム６２とセンサケース３０１の上面３０１ｄとの間の部分の下部には、センサ取付時に、ブラケットに対するセンサケース３０１の位置を決める位置決め溝３０４が形成されている。
【０２５７】
この位置決め溝３０４は、センサケース３０１の前面３０１から後方に延在する断面コの字型の溝であり、後端の壁面（これを後壁面とも呼ぶ）３０４ａが、アーム６２の上方及び下方に設けられた上側係止突起３０３の前面３０３ａ及び下側係止突起２０４の前面２０４ａより後方に位置している。
【０２５８】
この位置決め溝３０４は、詳しくは後述するが、センサ取付時に、ブラケット側の凸部が嵌合することで、ブラケットに対するセンサケース３０１の上下方向の位置を決めるようになっていて、凸部のサイズに合わせて幅（上下方向の長さ）が決められている。
【０２５９】
一方、ブラケットは、金属板でなり、厚さの異なる２種類が有り、薄い方のブラケット３１０を図２４に示す。
【０２６０】
このブラケット３１０は、前面３１０ａと反対側の後面３１０ｂとを貫通する嵌合孔３１１が形成されている。この嵌合孔３１１は、発光センサ３００のセンサケース３０１を前方から見た輪郭とほぼ同じ形状同じ大きさでなり、取り付け時に、発光センサ３００のセンサケース３０１と嵌合するようになっている。
【０２６１】
またこの嵌合孔３１１の左壁面３１１ａ及び右壁面３１１ｂは、それぞれ上端に位置する壁面上端部３１２及び下端に位置する壁面下端部３１３が他の部分より内側に突するようになっていて、さらに中央やや上方寄りの位置に、対向するようにして内側に突する、ブラケット３１０と同じ厚さの凸部３１４が形成されている。
【０２６２】
ここで、左右の壁面上端部３１２及び壁面下端部３１３は、それぞれの後面３１２ａ及び３１３ａが、センサ取付時に、センサケース３０１の両側面３０１ｂ、３０１ｃに形成されている薄い方のブラケット３１０の厚さに対応する上側当接面３０２及び下側当接面２０３に当接するようになっている。
【０２６３】
また左右の凸部３１４は、センサ取付時に、センサケース３０１の両側面３０１ｂ、３０１ｃに形成されている位置決め溝３０４と嵌合するように、その位置が決められている。
【０２６４】
また嵌合孔３１１は、発光センサ３００のセンサケース３０１と嵌合したときに、センサケース３０１の下部から露出するコネクタ２４を塞いでしまわないように、下端側がコネクタ２４の形状に合わせて開口している。
【０２６５】
尚、ここでは説明を省略したが、実際、発光センサ３００と対向する位置に受光センサが取り付けられるようになっていて、その位置にも、ブラケット３１０と同様の構成でなる、受光センサ取り付け用のブラケットが設けられている。
【０２６６】
これに対して、厚い方のブラケット３２０を図２５に示す。ブラケット３２０は、ブラケット３１０よりも厚い金属板でなり、前面３２０ａと反対側の後面３２０ｂとを貫通する嵌合孔３２１が形成されている。この嵌合孔３２１は、発光センサ３００のセンサケース３０１を前方から見た輪郭とほぼ同じ形状同じ大きさでなり、取り付け時に、発光センサ３００のセンサケース３０１と嵌合するようになっている。
【０２６７】
またこの嵌合孔３２１の左壁面３２１ａ及び右壁面３２１ｂには、それぞれ中央やや上方寄りの位置に、対向するようにして内側に突する、ブラケット３２０と同じ厚さの凸部３２２が形成されている。
【０２６８】
尚、左壁面３２１ａ及び右壁面３２１ｂの凸部３２２より上の部分３２３を、それぞれ壁面上部３２３と呼び、左壁面３２１ａ及び右壁面３２１ｂの凸部３２２より下の部分３２４を、それぞれ壁面下部３２４と呼ぶことにする。
【０２６９】
ここで、左右の凸部３２２は、センサ取り付け時に、センサケース３０１の両側面３０１ｂ、３０１ｃに形成されている位置決め溝３０４と嵌合するように、その位置が決められている。
【０２７０】
また、左右の壁面上部３２３及び壁面下部３２４は、それぞれの後面３２３ａ及び３２４ａが、センサ取付時に、センサケースの両側面３０１ｂ、３０１ｃに形成されている厚い方のブラケット３２０の厚さに対応する上側係止突起３０３の前面３０３ａ及び下側係止突起２０４の前面２０４ａに当接するようになっている。
【０２７１】
また嵌合孔３２１は、発光センサ３００のセンサケース３０１と嵌合したときに、センサケース３０１の下部から露出するコネクタ２４を塞いでしまわないように、下端側がコネクタ２４の形状に合わせて開口している。
【０２７２】
尚、ここでは説明を省略したが、実際、発光センサ３００と対向する位置に受光センサが取り付けられるようになっていて、その位置にも、ブラケット３２０と同様の構成でなる、受光センサ取り付け用のブラケットが設けられている。
【０２７３】
［６−２．動作及び効果］
以上の構成において、薄い方のブラケット３１０に発光センサ３００を取り付ける場合、図２４及び図２６に示すように、ブラケット３１０の後面３１０ｂ側から、ブラケット３１０の後面３１０ｂに発光センサ３００のセンサケース３０１の前面３０１ａを対向させると共に、センサケース３０１の左側面３０１ｂ及び右側面３０１ｃに設けられた左右の位置決め溝３０４の位置をブラケット３１０の左右の凸部３１４の位置に合わせるようにして、ブラケット３１０の嵌合孔３１１にセンサケース３０１を押し込んでいく。
【０２７４】
このときまずセンサケース３０１のアーム６２に形成された左右の係止突起６３の前面６３ａが、ブラケット３１０の嵌合孔３１１の左壁面３１１ａ及び右壁面３１１ｂの縁に当接する。
【０２７５】
この状態からさらにセンサケース３０１を押し込んでいくと、左右のアーム６２の先端に形成された係止突起６３が、嵌合孔３１１の左壁面３１１ａ及び右壁面３１１ｂに押さえ付けられることで、左右のアーム６２の先端が左右の凹部２６の底に近づくように変形しながら、センサケース３０１が嵌合孔３１１に挿入されていく。
【０２７６】
さらに押し込んでいき、センサケース３０１の左右の係止突起６３が、嵌合孔３１１を通り抜けると、このとき左右のアーム６２には、復元力として、それぞれの先端がセンサケース３０１の凹部２６の底から離れようとする力が作用する。この結果、左右のアーム６２は元の形状に戻る。
【０２７７】
このとき、左右のアーム６２のそれぞれの係止突起６３の後面６３ｂが、ブラケット３１０の前面３１０ａに当接する。
【０２７８】
またこのとき、センサケース３０１の左側面３０１ｂ及び右側面３０１ｃに形成されている上側当接面３０２が、嵌合孔３１１の左右の壁面上端部３１２の後面３１２ａに当接すると共に、センサケース３０１の左側面３０１ｂ及び右側面３０１ｃに形成されている下側当接面２０３が、嵌合孔３１１の左右の壁面下端部３１３の後面３１３ａに当接する。
【０２７９】
この結果、ブラケット３１０の嵌合孔３１１に嵌合されたセンサケース３０１は、係止突起６３の後面６３ｂと、上側当接面３０２及び下側当接面２０３との間で、ブラケット３１０をその厚さ方向に挟み込み、ブラケット３１０に係止された状態となる。
【０２８０】
さらにこのとき、ブラケット３１０の左右の凸部３１４が、センサケース３０１の左右の位置決め溝３０４に嵌合する。
【０２８１】
ここで、センサケース３０１の位置決め溝３０４は、上述したように、上下方向の長さが、ブラケット３１０の凸部３１４の上下方向の長さとほぼ等しくなるように形成されている。
【０２８２】
ゆえに、この位置決め溝３０４にブラケット３１０の凸部３１４が嵌合すると、ブラケット３１０に対するセンサケース３１０の上下方向の位置が固定された状態となる。
【０２８３】
かくして、ブラケット３１０にセンサケース３０１が固定保持される。
【０２８４】
このようにして、ブラケット３１０に発光センサ３００が取り付けられる。
【０２８５】
一方、厚い方のブラケット３２０に発光センサ３００を取り付ける場合、図２５及び図２７に示すように、ブラケット３２０の後面３２０ｂ側から、ブラケット３２０の後面３２０ｂに発光センサ３００のセンサケース３０１の前面３０１ａを対向させると共に、センサケース３０１の左側面３０１ｂ及び右側面３０１ｃに設けられた左右の位置決め溝３０４の位置をブラケット３２０の左右の凸部３２２の位置に合わせるようにして、ブラケット３２０の嵌合孔３２１にセンサケース３０１を押し込んでいく。
【０２８６】
このときまずセンサケース３０１のアーム６２に形成された左右の係止突起６３の前面６３ａが、ブラケット３２０の嵌合孔３２１の左壁面３２１ａ及び右壁面３２１ｂの縁に当接する。
【０２８７】
この状態からさらにセンサケース３０１を押し込んでいくと、左右のアーム６２の先端に形成された係止突起６３が、嵌合孔３２１の左壁面３２１ａ及び右壁面３２１ｂに押さえ付けられることで、左右のアーム６２の先端が左右の凹部２６の底に近づくように変形しながら、センサケース３０１が嵌合孔３２１に挿入されていく。
【０２８８】
さらに押し込んでいき、センサケース３０１の左右の係止突起６３が、嵌合孔３２１を通り抜けると、このとき左右のアーム６２には、復元力として、それぞれの先端がセンサケース３０１の凹部２６の底から離れようとする力が作用する。この結果、左右のアーム６２は元の形状に戻る。
【０２８９】
このとき、左右のアーム６２のそれぞれの係止突起６３の後面６３ｂが、ブラケット３２０の前面３２０ａに当接する。
【０２９０】
またこのとき、センサケース３０１の左側面３０１ｂ及び右側面３０１ｃに形成されている上側係止突起３０３の前面３０３ａが、嵌合孔３２１の左右の壁面上部３２３の後面３２３ａに当接すると共に、センサケース３０１の左側面３０１ｂ及び右側面３０１ｃに形成されている下側係止突起２０４の前面２０４ａが、嵌合孔３２１の左右の壁面下部３２４の後面３２４ａに当接する。
【０２９１】
この結果、ブラケット３２０の嵌合孔３２１に嵌合されたセンサケース３０１は、係止突起６３の後面６３ｂと、上側係止突起３０３の前面３０３ａ及び下側係止突起２０４の前面２０４ａとの間で、ブラケット３２０をその厚さ方向に挟み込み、ブラケット３２０に係止された状態となる。
【０２９２】
さらにこのとき、ブラケット３２０の左右の凸部３２２が、センサケース３０１の左右の位置決め溝３０４に嵌合する。
【０２９３】
ここで、厚い方のブラケット３２０の凸部３２２は、薄い方のブラケット３１０の凸部３１４と上下方向の長さが等しくなるように形成されている。
【０２９４】
したがって、位置決め溝３０４の上下方向の長さは、ブラケット３２０の凸部３２２の上下方向の長さともほぼ等しい。
【０２９５】
ゆえに、この位置決め溝３０４にブラケット３２０の凸部３２２が嵌合すると、ブラケット３２０に対するセンサケース３０１の上下方向の位置が固定された状態となる。
【０２９６】
尚、センサケース３０１の位置決め溝３０４は、ブラケット３１０及び３２０に対するセンサケース３０１の上下方向の位置を決めるものであって、前後方向（厚さ方向）の位置を決めるものではない。ゆえに、位置決め溝３０４は、センサ取付時に、後壁面３０４ａがブラケット３１０及び３２０のどちらにも当接しないよう、上側係止突起３０３の前面３０３ａ及び下側係止突起２０４の前面２０４ａより後方に位置するようになっている。かくして、ブラケット３２０にセンサケース３０１が固定保持される。
【０２９７】
このようにして、ブラケット３２０に発光センサ３００が取り付けられる。
【０２９８】
こうすることで、第６の実施の形態では、厚さの異なる２種類のブラケット３１０、３２０に対して、発光センサ３００を取り付けることができる。
【０２９９】
またこの第６の実施の形態では、上述の第５の実施の形態と同様、テーパ形状のアーム６２を有していることにより、センサケース３０１が傾いてしまうことを防ぐことができる。
【０３００】
ところで、第５の実施の形態では、例えば、センサケース２０１を薄い方のブラケット２１０に取り付けた場合、上面２０１ｄが、ブラケット２１０の嵌合孔２１１の上壁面２１１ｃに当接すると共に、左側面２０１ｂ及び右側面２０１ｃの下側当接面２０３より前側に位置する前側下端面２０５が、ブラケット２１０の嵌合孔２１１の左壁面２１１ａ及び２１１ｂの下端に位置する下端面２１５に当接することで、ブラケット２１０に対する上下方向の位置が固定されるようにした。
【０３０１】
一方で、センサケース２０１を厚い方のブラケット２２０に取り付けた場合、センサケース２０１は、上面２０１ｄが、ブラケット２２０の嵌合孔２２１の上壁面２２１ｃに当接すると共に、左側面２０１ｂ及び右側面２０１ｃの下側当接面２０３より後側に位置する後側下端面２０６が、ブラケット２２０の嵌合孔２２１の左壁面２２１ａ及び２２１ｂの下端に位置する下端面２２３に当接することで、ブラケット２２０に対する上下方向の位置が固定されるようにした。
【０３０２】
ここで、発光センサ２００は、センサケース２０１のサイズとコネクタ２４のサイズによって、前側下端面２０５及び後側下端面２０６として確保できる面積の大きさが変わる。
【０３０３】
実際、センサケース２０１の横幅とコネクタ２４の横幅が近いほど、センサケース２０１の厚さを薄くしなければならず、前側下端面２０５及び後側下端面２０６として確保できる面積が小さくなる。
【０３０４】
このように前側下端面２０５及び後側下端面２０６として確保できる面積が小さくなると、例えば、センサケース２０１を薄い方のブラケット２１０に取り付けたときに、センサケース２０１の両側面２０１ｂ、２０１ｃに設けられた前側下端面２０５と、ブラケット２１０の嵌合孔２１１の両壁面２１１ａ、２１１ｂに設けられた下端面２１５とが接する部分の面積（図２１（Ｃ）に示すａ１×ｂ１で示す面積）が小さくなる。
【０３０５】
この結果、振動等によってセンサケース２０１の前側下端面２０５とブラケット２１０の下端面２１５との当接が外れたりして、センサケース２０１ががたついてしまう恐れがある。
【０３０６】
また例えば、センサケース２０１を厚い方のブラケット２２０に取り付けたときに、センサケース２０１の両側面２０１ｂ、２０１ｃに設けられた後側下端面２０６と、ブラケット２２０の嵌合孔２２１の両壁面２２１ａ、２２１ｂに設けられた下端面２２３とが接する部分の面積（図２２（Ｃ）に示すａ２×ｂ２で示す面積）も小さくなる。
【０３０７】
この場合も、振動等によってセンサケース２０１の後側下端面２０６とブラケット２２０の下端面２２３との当接が外れたりして、センサケース２０１ががたついてしまう恐れがある。
【０３０８】
実際、例えば、センサケース２０１の厚さを０．７ｍｍ、薄い方のブラケット２１０の厚さを１．０ｍｍ、厚い方のブラケット２２０の厚さを１．６ｍｍとする。
【０３０９】
ここで、センサケース２０１を薄い方のブラケット２１０に取り付けたととき、センサケース２０１の前側下端面２０５とブラケット２１０の下端面２１５とが接する部分の面積（ａ１×ｂ１）は、０．７×１．０ｍｍ２なる。
【０３１０】
一方、厚い方のブラケット２２０に取り付けたとき、センサケース２０１の後側下端面２０６とブラケット２２０の下端面２２３とが接する部分の面積（ａ２×ｂ２）は、０．７×０．６ｍｍ２となる。
【０３１１】
このような場合、センサケース２０１を厚い方のブラケット２２０に取り付けたときの方が、センサケース２０１がブラケット２２０から外れたり、がたついたりする可能性が高くなる。
【０３１２】
そこで、この第６の実施の形態では、センサケース３０１の両側面３０１ｂ、３０１ｃに位置決め溝３０４を設け、この位置決め溝３０４にブラケット３１０の凸部３１４やブラケット３２０の凸部３２２を嵌合することで、ブラケット３１０やブラケット３２０に対するセンサケース３０１の上下方向の位置を固定するようにした。
【０３１３】
こうすることで、前側下端面２０５や後側下端面２０６の大きさによらず、ブラケット３１０や３２０に対してセンサケース３０１が外れたり、がたついたりすることを防止することができる。
【０３１４】
また、位置決め溝３０４は、アーム６２の下方内部に設けられたコネクタ２４の収納スペースに直接干渉しない位置である、アーム６２の上方に設けられているため、例えば、前側下端面２０５や後側下端面２０６として確保できる面積が小さい場合でも、ブラケット３１０の凸部３１４やブラケット３２０の凸部３２２と嵌合してセンサケース３０１を固定保持するのに十分な深さを確保できるようになっている。
【０３１５】
このように、この第６の実施の形態のセンサケース３０１では、第１乃至第５の実施の形態と比して、一段と確実に、センサケース３０１をブラケット３１０及び３２０に固定保持させることができ、この結果、発光センサ３００と受光センサとの間で光軸がずれてしまうことを一段と確実に防ぐことができる。
【０３１６】
以上の構成によれば、この第６の実施の形態では、第５の実施の形態と同様の効果にくわえて、ブラケット３１０及び３２０に一段と確実にセンサケース３０１を固定保持できるという効果を得ることができる。
【０３１７】
［７．他の実施の形態］
［７−１．他の実施の形態１］
尚、上述した第１の実施の形態では、合成樹脂でなる搬送ガイド３０に、発光センサ２０を取り付けるようにした。
【０３１８】
これに限らず、金属板の一部を折り曲げ、この折り曲げた部分が、搬送ガイド３０の保持板３２と同様に機能するブラケットにも、発光センサ２０を取り付けることができる。
【０３１９】
このようなブラケットを、図２８に示す。この図２８に示すように、ブラケット９０は、長方形板状の基部９１を有し、この基部９１の中央上部に嵌合孔９２が形成されている。またこの基部９１の左右には、後方に折り曲げられたＬ字型の保持板９３が形成されている。
【０３２０】
この折り曲げられたＬ字型の保持板９３が、搬送ガイド３０の保持板３２と同様の役割を果たすようになっている。
【０３２１】
この保持板９３は、基部９１の左右から後方（すなわち基部９１の後面９１ａに対して垂直）に延びる第１板部９４と、この第１板部９４の先端部分から上方（すなわち基部９１の後面９１ａと平行）に延びる第２板部９５とにより、全体としてＬ字型の形状をなしている。
【０３２２】
この第２板部９５の前面９５ａ（基部９１の後面９１ａと対向する面）が、発光センサ２０をブラケット９０に取り付けたときに、センサケース２１の係止突起２８の後面２８ｂと当接する係止面となる。
【０３２３】
このブラケット９０に発光センサ２０を取り付ける場合、ブラケット９０の後面９１ａ側から、ブラケット９０の嵌合孔９２に対して発光センサ２０の光路部２５を対向させた状態で、発光センサ２０のセンサケース２１を左右の保持板９３の間に押し込んでいく。
【０３２４】
すると、左右のアーム２７の先端に形成されている係止突起２８が左右の保持板９３に押さえ付けられることで、左右のアーム２７の先端がセンサケース２１の左右の凹部２６の底に近づくように変形しながら、センサケース２１が、ブラケット９０の左右の保持板９３の間に挟み込まれていく。
【０３２５】
さらに押し込んでいき、センサケース２１の左右の係止突起２８が、左右の保持板９３の第２板部９５を通り越すと、左右のアーム２７には、復元力として、それぞれの先端がセンサケース２１の凹部２６の底から離れようとする力が作用する。
【０３２６】
この結果、左右のアーム２７はそれぞれ元の形状に戻り、それぞれの側面２７ａが、左右の保持板９３の内側面９３ａに当接する。
【０３２７】
またこのとき、図２９に示すように、左右のアーム２７のそれぞれの係止突起２８の後面２８ｂが、左右の保持板９３の第２板部９５の前面（係止面）９５ａに当接する。これにより、センサケース２１が左右の保持板９３の間に係止されて保持される。
【０３２８】
さらにこのとき、ブラケット９０の嵌合孔９２に発光センサ２０の光路部２５が嵌合されて位置が固定される。かくして、ブラケット９０に発光センサ２０が固定保持される。
【０３２９】
このようにして、ブラケット９０に発光センサ２０が取り付けられる。
【０３３０】
［７−２．他の実施の形態２］
また、上述した第１の実施の形態では、センサケース２１の左側面２１ｃ及び右側面２１ｄの中央やや下面２１ａ寄りの位置にアーム２７を形成するようにした。
【０３３１】
これに限らず、アーム２７を、他の位置に形成するようにしてもよい。例えば、センサケース２１の左側面２１ｃ及び右側面２１ｄの中央にアーム２７を形成するようにしてもよい。
【０３３２】
また、上述した第１の実施の形態では、センサケース２１の左側面２１ｃ及び右側面２１ｄのそれぞれに１個ずつの計２個の対になるアーム２７を形成するようにしたが、これに限らず、例えば、センサケース２１の左側面２１ｃ及び右側面２１ｄのそれぞれに２個ずつの計４個の対になるアーム２７を形成するなどしてもよい。
【０３３３】
また、センサケース２１の左側面２１ｃ及び右側面２１ｄだけでなく、例えば上面２１ｅにアーム２７を形成するなどしてもよい。
【０３３４】
尚、このようにアーム２７の位置や数を変えた場合には、これに合わせて、搬送ガイド３０の保持板３２の位置や数も変えればよい。
【０３３５】
因みに、第１の実施の形態に限らず、第２乃至第６の実施の形態についても同様に、アームの位置や数を適宜変更するようにしてもよい。
【０３３６】
［７−３．他の実施の形態３］
さらに、上述した第２の実施の形態では、厚さの異なる３種類のブラケットに対応できるように、センサケース４１の左側面４１ｃ及び右側面４１ｄに、前面４１ｂとの距離が異なる３つの当接面４２（４２ａ、４２ｂ、４２ｃ）を階段状に形成するようにした。
【０３３７】
これに限らず、例えば、所定の厚さでなる１種類のブラケットに取り付けるだけであれば、センサケース４１の左側面４１ｃ及び右側面４１ｄに形成する当接面４２を１つにしてもよく、また厚さの異なる２種類のブラケットに取り付けるのであれば、当接面４２を２つにすればよい。要は、対応する厚さの数に応じた分の当接面４２を、センサケース４１に形成するようにすればよい。
【０３３８】
尚、第２の実施の形態に限らず、第４及び第６の実施の形態についても同様に、当接面の数を適宜変更するようにしてもよい。
【０３３９】
さらに、上述した第２の実施の形態では、センサケース４１の左側面４１ｃ及び右側面４１ｄのアーム２７を挟んで上側の部分にのみ、当接面４２（４２ａ、４２ｂ、４２ｃ）形成するようにしたが、これに限らず、アーム２７を挟んで下側の部分にのみ当接面４２（４２ａ、４２ｂ、４２ｃ）形成するようにしてもよい。
【０３４０】
さらに、上述した第４の実施の形態では、アーム６２とセンサケース７１の上面７１ｅとの間に、３つの当接面４２（４２ａ、４２ｂ、４２ｃ）を、上面７１ｅ側から前面７１ｂとの距離が短い順に階段状に形成するようにした。
【０３４１】
これとは逆に、３つの当接面４２（４２ａ、４２ｂ、４２ｃ）を、上面７１ｅ側から前面７１ｂとの距離が長い順に階段状に形成するようにしてもよい。
【０３４２】
またこれに限らず、３つの当接面４２（４２ａ、４２ｂ、４２ｃ）の配置を適宜入れ替えるようにしてもよい。
【０３４３】
同様に、アーム６２とセンサケース７１の下面７１ａとの間に形成している３つの当接面７２（７２ａ、７２ｂ、７２ｃ）についても、下面７１ａ側から前面７１ｂとの距離が短い順ではなく、前面７１ｂとの距離が長い順に階段状に形成するようにしてもよい。
【０３４４】
またこれに限らず、３つの当接面７２（７２ａ、７２ｂ、７２ｃ）の配置を適宜入れ替えるようにしてもよい。
【０３４５】
尚、第４の実施の形態に限らず、第２及び第５の実施の形態についても同様に、複数の当接面の配置を適宜入れ替えるようにしてもよい。
【０３４６】
また、このように当接面の配置を入れ替える場合には、これに合わせて、取り付け先の搬送ガイドやブラケット側の形状も変えればよい。
【０３４７】
［７−４．他の実施の形態４］
さらに、上述した第１の実施の形態では、センサケース２１の両側面２１ｃ、２１ｄのそれぞれに凹部２６を形成し、この凹部２６に埋まるようにして、この凹部２６の後端側から前端側へと延びるアーム２７を形成するようにした。
【０３４８】
これに限らず、図３０に示すように、アーム２７の先端に設けられている係止突起２８の後面２８ｂが、センサケース２１の前面２１ｂより前方に位置するように、アーム２７を前方に伸ばすようにしてもよい。
【０３４９】
この場合、図３１に示すように、取り付け先となるブラケット３００は、例えば、所定の厚さの金属板でなり、前面３００ａと反対側の後面３００ｂとを貫通する嵌合孔３０１が所定の位置に形成されている。この嵌合孔３０１は、発光センサ２０の光路部２５の外径とほぼ同径の円柱状となっていて、センサ取り付け時に、発光センサ２０の光路部２５と嵌合するようになっている。
【０３５０】
またこの嵌合孔３０１の下方に、この嵌合孔３０１の中心から真下に延ばした仮想直線Ｌｘを挟んで対向する位置に、前面３００ａと後面３００ｂとを貫通する一対の嵌合孔３０２が形成されている。
【０３５１】
左右の嵌合孔３０２は、それぞれ略直方体形状で、発光センサ２０のアーム２７に形成されている係止突起２８に合った大きさでなり、その間隔が、左右のアーム２７の間隔とほぼ等しくなっていて、センサ取り付け時に、左右のアーム２７の先端と嵌合するようになっている。
【０３５２】
このブラケット３００に発光センサ２０を取り付ける場合、搬送ガイド３００の後面３００ｂ側から、ブラケット３００の嵌合孔３０１に発光センサ２０の光路部２５を対向させると共に、左右の嵌合孔３０２に発光センサ２０の左右のアーム２７を対向させた状態で、ブラケット３００の嵌合孔３０１と左右の嵌合孔３０２とに、センサケース２１の光路部２５と左右のアーム２７とを押し込んでいく。
【０３５３】
そして、左右のアーム２７の係止突起２８を、それぞれ左右の嵌合孔３０２を通り抜けるまで押し込んだとき、図３２に示すように、左右のアーム２７の係止突起２８の後面２８ｂが、ブラケット３００の前面３００ａに当接すると共に、センサケース２１の前面２１ｂが、ブラケット３００の後面３００ｂに当接する。
【０３５４】
この結果、センサケース２１は、係止突起２８の後面２８ｂと、センサケース２１の前面２１ｂとの間で、ブラケット３００をその厚さ方向に挟み込み、ブラケット３００に係止された状態となる。かくして、ブラケット３００にセンサケース２１が固定保持される。
【０３５５】
このようにして、ブラケット３００にセンサケース２１が取り付けられる。
【０３５６】
こうすることで、発光センサ２０を、左右のアーム２７の係止突起２８と嵌合する一対の保持部として機能する保持板３２が設けられた搬送ガイド３０にではなく、左右のアーム２７の係止突起２８と嵌合する一対の保持部として機能する嵌合孔３０２が設けられたブラケット３００に取り付けることができる。
【０３５７】
［７−５．他の実施の形態５］
さらに、上述した第１の実施の形態では、センサケース２１に弾性変形可能な係止部としてのアーム２７を形成するようにしたが、これに限らず、弾性変形可能な係止部であれば、アーム２７以外の係止部を、センサケース２１に形成するようにしてもよい。
【０３５８】
尚、第１の実施の形態に限らず、第２乃至第６の実施の形態についても同様に、アーム以外の弾性変形可能な係止部を、センサケースに形成するようにしてもよい。
【０３５９】
［７−６．他の実施の形態６］
さらに、上述した第６の実施の形態では、センサケース３０１のアーム６２とセンサケース３０１の上面３０１ｄとの間の部分の下部に、位置決め溝３０４を設けるようにした。
【０３６０】
これに限らず、センサケース３０１のアーム６２とセンサケース３０１の上面３０１ｄとの間の部分の上部や中部等、アーム６２とセンサケース３０１の上面３０１ｄとの間の部分の下部以外の部分に、位置決め溝３０４を設けるようにしてもよい。
【０３６１】
また位置決め溝３０４を左右に１個ずつではなく、左右に２個以上ずつ設けるようにしてもよいし、センサケース３０１やコネクタ２４のサイズによっては位置決め溝３０４を取り除くようにしてもよい。
【０３６２】
またこれに限らず、例えば、位置決め溝３０４の代わりに、センサケース３０１の左側面３０１ｂ及び右側面３０１ｃから突する位置決め凸部を形成するようにしてもよい。
【０３６３】
この場合、ブラケット３１０及び３２０側には、凸部３１４及び凸部３２２の代わりに凹部を設けるようにして、センサ取付時に、ブラケット３１０や３２０の凹部にセンサケース３０１の位置決め凸部が嵌合することで、ブラケット３１０や３２０に対するセンサケース３０１の位置決めをするようにすればよい。
【０３６４】
さらにこれに限らず、ブラケットに対するセンサケースの位置決めを行うことのできるものであれば、位置決め溝３０４や位置決め凸部以外の位置決め部を、センサケースに設けるようにしてもよい。
【０３６５】
［７−７．他の実施の形態７］
さらに、上述した第５の実施の形態では、センサケース２０１の左側面２０１ｂ及び右側面２０１ｃのアーム６２の上方に、２つの当接面２０２を設け、アーム６２の下方に、１つの当接面２０３と１つの係止突起２０４を設けるようにした。
【０３６６】
これに限らず、アーム６２の上方に、２つの当接面２０２の代わりに、１つの当接面と１つの係止突起を設けるようにしてもよい。
【０３６７】
［７−８．他の実施の形態７］
さらに、上述した第５の実施の形態では、センサケース２０１の左側面２０１ｂ及び右側面２０１ｃのアーム６２の下方に、係止突起２０４を設けるようにした。
【０３６８】
これに限らず、係止突起２０４の前面２０４ａのように、センサケース２０１の両側面２０１ｂ、２０１ｃから突すると共に、ブラケットと当接する当接面として機能する面を有する凸部であれば、この他種々の凸部を、係止突起２０４の代わりに設けるようにしてもよい。このことは、第６の実施の形態についても同様である。
【０３６９】
［７−９．他の実施の形態９］
さらに、上述した第１乃至第６の実施の形態、及び上述した他の実施の形態では、発光センサを、その取り付け先となる取付部としての搬送ガイド３０、ブラケット５０、８０、９０、２１０、２２０、３１０、３２０に取り付けるようにしたが、発光センサを取り付け可能な形状であれば、これら搬送ガイド３０、ブラケット５０、８０、９０、２１０、２２０、３１０、３２０以外の取付部に、発光センサを取り付けるようにしてもよい。
【０３７０】
［７−１０．他の実施の形態１０］
さらに、上述した第１の実施の形態では、発光センサ２０のセンサケース２１と、受光センサのセンサケース（図示せず）とが別体でなり、１つのセンサケース２１内に、センサ素子２３として発光素子または受光素子のどちらか一方のみを設けるようにした。
【０３７１】
これに限らず、例えば、１つのセンサケース２１内に、発光素子と受光素子の２つのセンサ素子２３を設けるようにしてもよい。
【０３７２】
この場合、例えば、センサケース２１の前面２１ｂには、長手方向に並べるようにして、発光素子用の光路部２５と、受光素子用の光路部２５を設けるようにする。
【０３７３】
またこの場合、搬送ガイド３０側には、発光素子用の光路部２５に対応する嵌合孔３１と、受光素子用の光路部２５に対応する嵌合孔３１を形成するようにすればよい。
【０３７４】
因みに、この場合、センサケース２１と対向する位置に、センサケース２１からの光を、センサケース２１側に反射する反射板などの光学系を取り付けるようにする。
【０３７５】
［７−１１．他の実施の形態１１］
さらに、上述した第１乃至第６の実施の形態では、本発明を、現金自動預払機１に取り付けられる紙幣監視用の監視センサに適用したが、本発明は、これに限らず、センサ素子をケース内に設けるようにしたセンサであれば、この他種々のセンサに適用することができる。
【０３７６】
さらに上述した第１乃至第６の実施の形態では、本発明を、監視装置としての現金自動預払機１に適用したが、本発明は、これに限らず、センサにより物体を検出する装置であれば、紙を検出するコピー機や、紙幣を検出する自動販売機、切符を検出する券売機など、種々の装置に適用することができる。
【０３７７】
［７−１２．他の実施の形態１２］
さらに、本発明は、上述した第１乃至第６の実施の形態と、上述した他の実施の形態とに限定されるものではない。すなわち本発明は、上述した第１乃至第６の実施の形態と上述した他の実施の形態の一部または全部を任意に組み合わせた実施の形態や、一部を抽出した実施の形態にもその適用範囲が及ぶものである。
【０３７８】
例えば、第２の実施の形態のセンサケース４１の上面４１ｅに形成されている係止突起４３を、第４の実施の形態のセンサケース７１の上面に形成するなどしてもよい。
【産業上の利用可能性】
【０３７９】
本発明は、センサ素子が収納されているセンサケースを所定の位置に取り付けるようになされた現金自動預払機や、コピー機、自動販売機、券売機などの装置で広く利用することができる。
【符号の説明】
【０３８０】
１……現金自動預払機、２０、４０、６０、７０、１００、２００、３００……発光センサ、２１、４１、６１、７１、１０１、２０１、３０１……センサケース、２７、６２…アーム、２８、４３、６３、１０６、２０４、３０３……係止突起、３０、１１０……搬送ガイド、３１、５１、８１、９２、１１１、２１１、２２１、３０１、３０２、３１１、３２１……嵌合孔、３３……嵌合穴、３２、９３、１１２……保持板、４２、７２、２０２、２０３、３０２……当接面、３０４……位置決め溝。
【図１】
0005857720.tif 000002
【図２】
0005857720.tif 000003
【図３】
0005857720.tif 000004
【図４】
0005857720.tif 000005
【図５】
0005857720.tif 000006
【図６】
0005857720.tif 000007
【図７】
0005857720.tif 000008
【図８】
0005857720.tif 000009
【図９】
0005857720.tif 000010
【図１０】
0005857720.tif 000011
【図１１】
0005857720.tif 000012
【図１２】
0005857720.tif 000013
【図１３】
0005857720.tif 000014
【図１４】
0005857720.tif 000015
【図１５】
0005857720.tif 000016
【図１６】
0005857720.tif 000017
【図１７】
0005857720.tif 000018
【図１８】
0005857720.tif 000019
【図１９】
0005857720.tif 000020
【図２０】
0005857720.tif 000021
【図２１】
0005857720.tif 000022
【図２２】
0005857720.tif 000023
【図２３】
0005857720.tif 000024
【図２４】
0005857720.tif 000025
【図２５】
0005857720.tif 000026
【図２６】
0005857720.tif 000027
【図２７】
0005857720.tif 000028
【図２８】
0005857720.tif 000029
【図２９】
0005857720.tif 000030
【図３０】
0005857720.tif 000031
【図３１】
0005857720.tif 000032
【図３２】
0005857720.tif 000033
【図３３】
0005857720.tif 000034
【図３４】
0005857720.tif 000035
【図３５】
0005857720.tif 000036